(57)【要約】【課題】より簡易な方法で精度の高いユーザ認証を実現することが可能になる。【解決手段】二つ以上のデバイスから取得された、ユーザによる前記デバイスの携帯状態に関する情報に基づいて前記ユーザの認証を行う認証部を備える、情報処理装置が提供される。【選択図】図３
2018230165.tif 000002
【特許請求の範囲】
【請求項１】
二つ以上のデバイスから取得された、ユーザによる前記デバイスの携帯状態に関する情報に基づいて前記ユーザの認証を行う認証部を備える、
情報処理装置。
【請求項２】
前記認証部は、前記デバイスの携帯状態の関係性に基づいて前記認証を行う、
請求項１に記載の情報処理装置。
【請求項３】
前記認証部は、前記デバイスの組み合わせに基づいて前記認証を行う、
請求項２に記載の情報処理装置。
【請求項４】
前記認証部は、前記デバイスの携帯方法に基づいて前記認証を行う、
請求項２に記載の情報処理装置。
【請求項５】
前記認証部は、前記デバイスが携帯されるタイミングもしくは順番に基づいて前記認証を行う、
請求項２に記載の情報処理装置。
【請求項６】
前記認証部は、ある時間帯、ある時点またはある行動時における前記関係性に基づいて前記認証を行う、
請求項２に記載の情報処理装置。
【請求項７】
前記認証部は、前記ユーザが携帯中の前記デバイスから取得された前記情報に基づいて前記認証を行う、
請求項１に記載の情報処理装置。
【請求項８】
前記認証部は、前記認証が成功した後に、前記認証よりも負荷が低い処理によって前記ユーザの同一性を担保する、
請求項１に記載の情報処理装置。
【請求項９】
前記情報に基づいて前記ユーザの行動予測を行う行動予測部をさらに備える、
請求項１に記載の情報処理装置。
【請求項１０】
前記行動予測に基づいて携帯することが推薦されるデバイスを出力する推薦部をさらに備える、
請求項９に記載の情報処理装置。
【請求項１１】
前記情報に基づいて前記デバイスを共有する二人以上の前記ユーザの関連性を認識する関連性認識部を更に備える、
請求項１に記載の情報処理装置。
【請求項１２】
前記情報に基づいて前記デバイスを分類するカテゴリを認識するカテゴリ認識部をさらに備える、
請求項１に記載の情報処理装置。
【請求項１３】
前記デバイスが所有者以外の者または借用者以外の者に携帯されているか、使用されている場合に、所定の処理を制御する制御部をさらに備える、
請求項１に記載の情報処理装置。
【請求項１４】
前記デバイスに過去発生したイベントに基づいて前記デバイスの状態を示す値を算出するデバイス状態算出部をさらに備える、
請求項１に記載の情報処理装置。
【請求項１５】
前記デバイス状態算出部は、前記イベントの記録期間に基づいて前記デバイスの状態または品質を示す値の信頼度を算出する、
請求項１４に記載の情報処理装置。
【請求項１６】
前記ユーザによって過去に使用された前記デバイスの状態を示す値および前記信頼度に基づいて、前記ユーザによる前記デバイスの使用の適正を示す値を算出するユーザ適正算出部をさらに備える、
請求項１５に記載の情報処理装置。
【請求項１７】
前記ユーザ適正算出部は、外部システムから提供された前記ユーザの評価に関する情報にも基づいて前記適正を示す値を算出する、
請求項１６に記載の情報処理装置。
【請求項１８】
現在または過去における前記携帯状態に関する情報、前記ユーザによる携帯が推奨される前記デバイスに関する情報、前記認証の状況に関する情報、前記デバイスの状態または品質に関する情報、前記デバイスの状態または品質を示す値の信頼度に関する情報、前記ユーザによる前記デバイスの使用の適正を示す情報、または、外部システムから提供された前記ユーザの評価に関する情報の少なくとも１つの表示を制御する制御部をさらに備える、
請求項１に記載の情報処理装置。
【請求項１９】
二つ以上のデバイスから取得された、ユーザによる前記デバイスの携帯状態に関する情報に基づいて前記ユーザの認証を行うことを有する、
コンピュータにより実行される情報処理方法。
【請求項２０】
二つ以上のデバイスから取得された、ユーザによる前記デバイスの携帯状態に関する情報に基づいて前記ユーザの認証を行うことを有する、
をコンピュータに実現させるためのプログラム。
【発明の詳細な説明】
【技術分野】
【０００１】
本開示は、情報処理装置、情報処理方法およびプログラムに関する。
【背景技術】
【０００２】
近年、センサの低消費電力化・小型化が進展し、センサが様々な物品に備えられるようになっている。また、センサを備える小型のタグデバイスが開発され、ユーザは、当該タグデバイスを所望の物品に装着させることができるようになっている。そして、それらのセンサによって取得されたセンシングデータを用いた様々な技術が開発されている。【０００３】
例えば、以下の特許文献１には、センシングデータを用いて通話相手のユーザのいまの状態を把握し、その状態に応じた各種処理を行う技術が開示されている。その他、例えば、指紋認証や虹彩認証のようにセンシングデータを用いてユーザ認証を行う技術も開示されている。
【先行技術文献】
【特許文献】
【０００４】
【特許文献１】特開２００６−３４５２６９号公報
【発明の概要】
【発明が解決しようとする課題】
【０００５】
しかし、ユーザ認証について、簡易な方法で精度の高い認証を実現することが困難となる場合があった。例えば、指紋認証や虹彩認証によってユーザ認証が行われる場合、ユーザは所定の動作（指紋情報取得部へ指を接触させる動作、撮像部によって虹彩を撮像させる動作等）を行うことが求められるため相当の手間が発生する。【０００６】
そこで、本開示は、上記に鑑みてなされたものであり、より簡易な方法で精度の高いユーザ認証を実現することが可能な、新規かつ改良された情報処理装置、情報処理方法およびプログラムを提供する。
【課題を解決するための手段】
【０００７】
本開示によれば、二つ以上のデバイスから取得された、ユーザによる前記デバイスの携帯状態に関する情報に基づいて前記ユーザの認証を行う認証部を備える、情報処理装置が提供される。【０００８】
また、本開示によれば、二つ以上のデバイスから取得された、ユーザによる前記デバイスの携帯状態に関する情報に基づいて前記ユーザの認証を行うことを有する、コンピュータにより実行される情報処理方法が提供される。【０００９】
また、本開示によれば、二つ以上のデバイスから取得された、ユーザによる前記デバイスの携帯状態に関する情報に基づいて前記ユーザの認証を行うことを有する、をコンピュータに実現させるためのプログラムが提供される。
【発明の効果】
【００１０】
以上説明したように本開示によれば、より簡易な方法で精度の高いユーザ認証を実現することが可能となる。【００１１】
なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１２】
【図１】本開示の概要を示すイメージ図である。
【図２】本開示の概要を示すイメージ図である。
【図３】デバイスの機能構成の一例を示すブロック図である。
【図４】携帯認識の動作の一例を示すフローチャートである。
【図５】より簡易な携帯認識の動作の一例を示すフローチャートである。
【図６】携帯位置認識の動作の一例を示すフローチャートである。
【図７】より簡易な携帯位置認識の動作の一例を示すフローチャートである。
【図８】同一人物携帯認識の動作の一例を示すフローチャートである。
【図９】より簡易な同一人物携帯認識の動作の一例を示すフローチャートである。
【図１０】携帯人物認識（ユーザ認証）の動作の一例を示すフローチャートである。
【図１１】携帯人物スコア算出のイメージを示す図である。
【図１２】携帯人物スコア算出のイメージを示す図である。
【図１３】より簡易な携帯人物認識（ユーザ認証）の動作の一例を示すフローチャートである。
【図１４】人物関連性認識の概要を示す図である。
【図１５】人物関連性認識の動作の一例を示すフローチャートである。
【図１６】所属確認とその後の動作の一例を示すフローチャートである。
【図１７】所属確認とその後の動作の一例を示すフローチャートである。
【図１８】行動予測および携帯推薦の動作の一例を示すフローチャートである。
【図１９】行動履歴リストの一例を示す図である。
【図２０】携帯デバイスリストの一例を示す図である。
【図２１】デバイスの状態の評価に関する動作の一例を示すフローチャートである。
【図２２】デバイス状態スコアのイメージを示す図である。
【図２３】デバイス状態スコアに基づくデバイスのランク付けの例を示す図である。
【図２４】ユーザ物品使用スコアの算出動作の一例を示すフローチャートである。
【図２５】デバイスの管理に用いられるＵＩ（Ｕｓｅｒ  Ｉｎｔｅｒｆａｃｅ）の一例を示す図である。
【図２６】デバイスの管理に用いられるＵＩの一例を示す図である。
【図２７】デバイスの管理に用いられるＵＩの一例を示す図である。
【図２８】デバイスの管理に用いられるＵＩの一例を示す図である。
【図２９】デバイスの管理に用いられるＵＩの一例を示す図である。
【図３０】デバイスの管理に用いられるＵＩの一例を示す図である。
【図３１】携帯すべきデバイスの推薦に用いられるＵＩの一例を示す図である。
【図３２】携帯すべきデバイスの推薦に用いられるＵＩの一例を示す図である。
【図３３】忘れ物の通知に用いられるＵＩの一例を示す図である。
【図３４】忘れ物の通知と鍵の開錠に用いられるＵＩの一例を示す図である。
【図３５】ユーザ認証の状況を示すＵＩの一例を示す図である。
【図３６】ユーザ認証の状況を示すＵＩの一例を示す図である。
【図３７】デバイスの販売価格等を表示するＵＩの一例を示す図である。
【図３８】ユーザが自らのユーザ物品使用スコア等を確認できるＵＩの一例を示す図である。
【図３９】ユーザが過去に使用した全てのデバイスに関するデバイス状態スコア等を確認できるＵＩの一例を示す図である。
【発明を実施するための形態】
【００１３】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１４】
なお、説明は以下の順序で行うものとする。
１．背景
２．本開示の概要
３．デバイスの機能構成
４．デバイスの動作
５．様々なＵＩ
６．むすび
【００１５】
＜１．背景＞
まず、本開示の背景について説明する。
【００１６】
上記のとおり、近年、センサの低消費電力化・小型化が進展し、センサが様々な物品に備えられるようになっている。また、センサを備える小型のタグデバイスが開発され、ユーザは、当該タグデバイスを所望の物品に装着させることができるようになっている。そして、それらのセンサによって取得されたセンシングデータを用いた様々な技術が開発されている。例えば、指紋認証や虹彩認証のようにセンシングデータを用いてユーザ認証を行う技術が開示されている。
【００１７】
ここで、各種センサを用いたユーザ認証においては、簡易な方法で精度の高いユーザ認証を実現することが困難となる場合があった。例えば、指紋認証や虹彩認証によってユーザ認証が行われる場合、ユーザは所定の動作（指紋情報取得部へ指を接触させる動作、撮像部によって虹彩を撮像させる動作等）を行うことが求められるため相当の手間が発生する。また、ユーザがスマートフォンを携帯していることがセンサによって検出された場合に、携帯状態が終了するまでの期間は、ユーザ認証を行ったものとみなしてスマートフォンのロックを解除するという機能が存在する。この場合、第三者が移動中のユーザからスマートフォンを取得すれば、自由にスマートフォンを操作することができてしまう。以上から、より簡易な方法で精度の高いユーザ認証を実現することが求められている。
【００１８】
また、各種センサを用いて行動予測が行われる場合もある。例えば、ＧＮＳＳセンサからのセンシングデータとユーザの過去の行動履歴に基づいて将来のユーザの行動予測が行われる場合がある。この場合、ユーザが相当程度移動しなければ行動予測を行うことができなかった。そのため、行動予測に基づいて忘れ物等の通知が行われる場合に、当該通知のタイミングが遅れる場合があった（例えば、自宅を出発する前に通知を行うことが困難であった）。また、ユーザが所定の目的で向かう場所と別の目的で向かう場所があまり離れていない場合、ＧＮＳＳセンサを用いる行動予測では目的の違いを判別することができず、適切に行動予測を行うことができない場合があった。
【００１９】
また、センサが備えられた各種物品を管理するために、ユーザに求められる対応の負荷が高い場合があった。例えば、センサを備えるタグデバイスがユーザ所望の物品に装着される場合、ユーザは、当該物品に関する情報（物品の属性等）を所定の装置に入力することが求められる場合があった。また、ユーザが、センサを備えた各種物品を使用し始める際に、当該物品の所有者が自分であることを入力（認証）することが求められる場合があった。これらの場合、入力操作に慣れていないユーザが、入力に相当の時間を要したり、誤った入力をしたりしてしまう場合があった。
【００２０】
また、近年、インターネット等を介して個人間売買を行うことが可能な各種サービスが普及してきている。さらに、物品や場所等を複数の人と共有するシェアリングエコノミーサービスも浸透してきている。これらのサービスで取り扱われる物品等は、従来、その状態を適切に評価されない場合があった。
【００２１】
例えば、個人間売買を含む中古品市場においては、中古品買取店の店員がその時の物品の状態のみに基づいて評価を行い、当該物品が取り扱われてきた履歴情報等を考慮することができない場合が多かった。そのため、評価の精度は、店員等のスキルに依存しており安定していなかった。例えば、評価の精度は、店員間または店舗間で互いに異なっていた。また、中古品が販売される時には、当該中古品の状態が販売店独自の方法で表示される。例えば、中古品の状態は、「Ａランク」、「Ｂランク」等のようにランク付けがされて表示されたり、「美品」、「傷あり」、「汚れあり」等のように定性的かつ主観的な特徴が表示されたりする。これらの表示は、販売店毎に異なり、かつ、評価基準も異なる。そのため、特に、インターネットを介する売買のように実物を確認することができない場合には、購入者は、これらの表示を見ただけでは購入の可否を決定することができない場合がある。
【００２２】
また、シェアリングエコノミーサービスにおいては、貸与者は、借用者が貸与物をどのように扱うかを事前に知ることができないため、借用者へ貸与することのリスクを適切に評価することができない。そのため、例えば、貸与者が、リスクを過大評価し保険を過剰にかけることで、貸与者の利益が損なわれたり、貸出価格が高くなったことが原因で借用者と折り合いがつかず機会損失が生じたりする可能性がある。一方、貸与者が、リスクを過小評価することで、貸与物の毀損が完全に補償されない可能性がある。借用者の立場から考えると、例えば、借用者が物品を丁寧に扱うユーザである場合にも、リスクが過大評価されることで、高額な貸出価格を支払わなければならない可能性がある。
【００２３】
さらに、借用者と実際の使用者が異なる場合がある。例えば、借用者が物品を借用した後に、当該物品を別人に使用させる（換言すると、転貸しをする）場合がある。この場合、実際の使用者が物品を粗悪に扱うユーザである場合には、貸与者の想定以上の大きな損害が発生する可能性がある。
【００２４】
本件の開示者は上記事情に鑑みて本技術に想到するに至った。以降では、本開示に係る技術について詳細に説明をしていく。
【００２５】
＜２．本開示の概要＞
上記では、本開示の背景について説明した。続いて、図１および図２を参照して、本開示の概要について説明する。
【００２６】
本開示はセンサ機能および通信機能を備えた情報処理装置であるデバイス（以降、「デバイス１００」と呼称する）によって実現される。デバイス１００は、例えば、加速度センサ、ジャイロセンサ、ＧＮＳＳセンサ等の機能を有しており、これらのセンシングデータに基づいてユーザ認証等を行うことができる情報処理装置である。なお、上記はあくまで一例であり、デバイス１００が有するセンサ機能は任意である。例えば、デバイス１００は、地磁気センサ、気圧センサ、温度センサ、振動センサ、音声センサ、心拍センサ、脈波センサ、近接センサ、照度センサ、圧力センサ、発汗センサ、ｐＨセンサ、湿度センサ、赤外線センサ等、人の動きに起因する物理変化ないし化学変化等を捉えることが可能なセンサ機能であればどのようなセンサ機能を有していてもよい。
【００２７】
デバイス１００は、様々な物品に内蔵されたり、装着されたりすることができる程度に小型な装置であることを想定する。例えば、図１のように、デバイス１００は、メガネ１０２、鞄１０３、時計１０４等の物品に内蔵されてもよいし、デバイス１００が内蔵されたタグデバイス１０１が、鍵１０１ａ、傘１０１ｂ、靴１０１ｃ、ベルト１０１ｄ、被服１０１ｅ等に装着されてもよい。なお、上記はあくまで一例であり、デバイス１００の大きさ、内蔵される物品ないし装着される物品は特に限定されない。また、図１にはＩＣチップの形状を有したデバイス１００を表しているが、デバイス１００の形状は特に限定されない。
【００２８】
また、通信機能を備えるデバイス１００は、様々な装置と通信を行うことができる。例えば、図２に示すように、デバイス１００は、他のデバイス１００（２Ａを参照。図中ではデバイス１００ａ〜デバイス１００ｃを例示）、任意の情報処理装置２００（２Ｂを参照。図中ではスマートフォン２００を例示）、または、所定のネットワーク上の情報処理装置３００（２Ｃを参照。図中ではクラウドネットワーク上のサーバ３００を例示）と無線通信を行ってもよい。なお、図２はあくまで一例であり、図２に示す通信形態以外の通信形態が用いられてもよい。本書では、２Ａに示すように、デバイス１００が他の各デバイス１００と無線通信を行うことで、本開示に係る様々な機能を実現する場合を一例として説明する。
【００２９】
本開示に係るデバイス１００は、二つ以上のデバイス１００から取得された、ユーザによるデバイス１００の携帯状態に関する情報に基づいてユーザ認証を行うことができる。例えば、デバイス１００は、ユーザが携帯しているデバイス１００の組み合わせ等に基づいてユーザを認証することができる。
【００３０】
より具体的には、ユーザがデバイス１００を携帯している場合、デバイス１００は、自装置に備えられる各種センサ（加速度センサ、ジャイロセンサ等）に基づいて自装置が携帯されている状態にあることを認識する。そして、ユーザが二つ以上のデバイス１００を携帯している場合、各デバイス１００は相互に無線通信を行うことにより各デバイス１００が携帯されている状態にあることを認識する。そして、デバイス１００は、デバイス１００が過去に携帯された際の履歴情報（以降、「携帯履歴情報」と呼称する）に基づいて、認証対象のユーザと携帯履歴情報におけるユーザとの相関に基づいてユーザ認証を行うことができる。
【００３１】
これによって、デバイス１００は、より簡易な方法で精度の高いユーザ認証を実現することができる。より具体的には、上記のように、ユーザに携帯されている期間はユーザ認証を行ったものとみなしてスマートフォン等のロックを解除する機能に比べて、ユーザによるデバイス１００の携帯履歴情報に基づいてユーザ認証が行われるため、デバイス１００は、より高い精度のユーザ認証を実現することができる。また、ユーザ認証のために所定の動作（指紋情報取得部へ指を接触させる動作、虹彩を撮像部に撮像させる動作等）が求められる指紋認証や虹彩認証に比べて、本開示においては、ユーザが普段通りにデバイス１００を携帯するだけでユーザ認証が行われるため、デバイス１００は、より簡易な方法でユーザ認証を実現することができる。
【００３２】
また、デバイス１００は、ユーザによる各デバイス１００の携帯方法も考慮してユーザ認証を行うことができる。より具体的には、デバイス１００は、各種センサ（加速度センサ、ジャイロセンサ等）に基づいてユーザによる各デバイス１００の携帯方法を認識する。ここで、「携帯方法」とは、デバイス１００が携帯される各種態様を表す。例えば、デバイス１００は、各デバイス１００の保持態様（身体の一部（顔、耳、首、手、腕、腰、足等）に装着されている、ポケット（胸ポケット、ズボンの前後のポケット等）もしくは鞄（ショルダーバック、バックパック、トートバック等）に入れられている等）や、各デバイス１００を携帯するユーザの移動方法（歩いている、走っている、各種乗り物（自転車、自動車、バス、電車、船、飛行機等）に乗っている等）を認識する。そして、デバイス１００は、認証対象のユーザと携帯履歴情報におけるユーザとの相関の算出の際に、各デバイス１００の携帯方法という要素も追加する。これによって、デバイス１００は、ユーザ認証の精度をより向上させることができる。
【００３３】
なお、上記はあくまで一例であり、ユーザ認証方法は特に限定されない。より具体的には、ユーザ認証に用いられる情報は、デバイス１００の組み合わせや携帯方法だけでなく、各デバイス１００の携帯状態の関係性を表す情報であれば何でもよい。例えば、デバイス１００は、ユーザが各デバイス１００を携帯するタイミングや順番等に基づいてユーザ認証を行ってもよい。各デバイス１００を携帯するタイミングや順番等についてユーザ固有の傾向がある場合、デバイス１００は、ユーザ認証の精度をより向上させることができる。
【００３４】
また、デバイス１００は、二つ以上のデバイス１００から取得された、ユーザによるデバイス１００の携帯状態に関する情報に基づいてユーザの行動を予測することもできる。例えば、デバイス１００は、ユーザが携帯しているデバイス１００の組み合わせに基づいてユーザの行動を予測することができる。より具体的には、デバイス１００は、複数の行動と各行動が行われる際のデバイス１００の組み合わせとを対応付けて携帯履歴情報として記憶している。そして、デバイス１００は、ユーザが携帯しているデバイス１００の組み合わせと、携帯履歴情報における各動が行われる際のデバイス１００の組み合わせとの相関値を算出し、当該相関値に基づいてユーザの行動を予測することができる。
【００３５】
これによって、デバイス１００は、より早いタイミングで行動予測を行うことができる。より具体的には、行動予測にＧＮＳＳセンサ等が用いられる場合には、ユーザが相当程度移動するまで行動予測が精度高く行われない。一方、デバイス１００は、ユーザが各デバイス１００を携帯した時点（または携帯する過程）で行動予測を行うことができるため、より早いタイミングで行動予測を行うことができる。
【００３６】
また、デバイス１００は、ＧＮＳＳセンサ等に基づく行動予測に比べて予測精度をより向上させることができる場合がある。例えば、ユーザが所定の目的で向かう場所（例えば、仕事のために向かうオフィス等）と、別の目的で向かう場所（例えば、レジャー施設）があまり離れていない場合、ＧＮＳＳセンサ等に基づく行動予測では、ユーザの行動の予測精度が低減する場合がある。また、同一の目的でも向かう場所が毎回異なる場合（例えば、オフィスが毎回変わる場合等）においても同様に、ユーザの行動の予測精度が低減する場合がある。一方、ユーザの携帯物は目的に応じて異なるため（例えば、オフィスに向かう際の携帯物とレジャー施設に向かう際の携帯物は互いに異なる）、デバイス１００は、より高い精度でユーザの行動を予測できる場合がある。なお、上記はあくまで一例であり、行動予測の方法は特に限定されない。例えば、デバイス１００は、上記と同様に、各デバイス１００の携帯方法、携帯されるタイミングや順番等を考慮して行動予測を行ってもよい。
【００３７】
また、デバイス１００は、行動予測結果に基づいて各種処理を行ってもよい。例えば、デバイス１００は、携帯されているデバイス１００の過不足（例えば、忘れ物、不要な物等）をユーザに対して通知してもよい。より具体的には、デバイス１００は、ユーザの行動と、各行動の際の携帯物とを対応付けて携帯履歴情報として記憶している。そして、デバイス１００は、携帯履歴情報と行動予測結果に基づいてユーザが携帯することが望ましいと考えられるデバイス１００（以降、「推薦デバイス１００」と呼称する）を算出し、推薦デバイス１００と現実に携帯されているデバイス１００とを比較することで、デバイス１００の過不足をユーザに通知することができる。なお、上記はあくまで一例であり、行動予測結果に基づいて行われる処理内容は上記に限定されない。
【００３８】
また、二人以上のユーザがデバイス１００を共有している場合、デバイス１００は、各ユーザが共通のグループ（家族、親しい友人、サークルメンバー、同僚等）に属していることを認識できる。そして、デバイス１００は、各デバイス１００の共有状況に基づいて各ユーザの関連性（または信頼度等）の高さを認識することができる。例えば、デバイス１００は、ユーザ間で共有されている各デバイス１００の重要度、または、共有されているデバイス１００の数等に応じて各ユーザの関連性の高さを認識することができる。より具体的には、ユーザ間で共有されている各デバイス１００の重要度が高いほど、また、共有されているデバイス１００の数が多いほど、デバイス１００は、各ユーザの関連性は高いと認識することができる。なお、デバイス１００は、関連性の高さだけでなく、グループの属性等も認識することができる。例えば、「自宅の鍵」が二人以上のユーザで共有されている場合、デバイス１００は、各ユーザが家族である（各ユーザが「家族」という属性のグループに所属している）と認識することができる。
【００３９】
また、デバイス１００は、自装置（またはデバイス１００が装着された装置）のカテゴリを認識することができる。ここで、「カテゴリ」とは、デバイス１００の種類（例えば、「メガネ」、「鞄」、「時計」、「傘」、「靴」、「ベルト」、「被服」等）、デバイス１００の所有者（「父親の物」、「Ａ氏（個人氏名）の物」等）、デバイス１００の所有グループ（「家族の物」、「Ｂ団体の物」等）、デバイス１００の用途もしくは目的（「テニスセット」、「仕事セット」、「避難セット」等）、デバイス１００が使用される期間、時刻もしくは場所（「冬季に使用される物」、「Ｃ月からＤ月に使用される物」、「朝に使用される物」、「Ｅ時からＦ時に使用される物」、「家で使用される物」等）等を表す概念である。なお、上記はあくまで一例であり、カテゴリの内容は上記に限定されない。また、カテゴリは一つのデバイス１００に複数設定されてもよい。例えば、デバイス１００が父親のコートに装着されている場合、「被服（コート）」、「父親の物」、「家族の物」、「冬季に使用される物」等がカテゴリとして設定されてもよい。
【００４０】
また、デバイス１００は、自装置のカテゴリを認識していない場合（例えば、デバイス１００が購入された直後、または、デバイス１００が所定の物品に装着された直後等）、ユーザによるデバイスの携帯状態に基づいて自装置のカテゴリを認識することもできる。より具体的には、デバイス１００は、カテゴリが既知である他のデバイス１００との通信で得られた各デバイス１００の携帯履歴情報と、自装置の携帯履歴情報との比較等によって、自装置のカテゴリを認識することができる。例えば、デバイス１００が靴（または靴に装着されたデバイス１００）である場合、他の靴の携帯履歴情報と自装置の携帯履歴情報とが類似していることに基づいて自装置のカテゴリが「靴」であることを認識できる。なお、デバイス１００は、「靴」以外のカテゴリである、「父親の物」、「テニスセット（テニスシューズ）」等を認識してもよい。
【００４１】
これによって、各デバイス１００を管理するユーザの負荷が軽減され得る。すなわち、ユーザがデバイス１００に関するカテゴリ等の各種情報を登録しなくても、各デバイス１００は、主体的に自装置に関する各種情報を認識することができる。
【００４２】
また、デバイス１００は、自装置のカテゴリに基づいて各種動作を行うことができる。例えば、デバイス１００は、同一もしくは所定の関係にあるカテゴリを有する他のデバイス１００から携帯履歴情報を入手することができる。より具体的には、デバイス１００の携帯履歴情報が少ない場合（例えば、デバイス１００が購入された直後、または、デバイス１００が所定の物品に装着された直後等）、当該デバイス１００は、同一もしくは所定の関係（例えば、関連性の高い関係）にあるカテゴリを有する他のデバイス１００の携帯履歴情報を入手することで、上記のユーザ認証や行動予測等の各種処理に用いてもよい。これによって、デバイス１００は、自装置の携帯履歴情報が少ない場合でも、他のデバイス１００の携帯履歴情報を有効に活用することができる。また、デバイス１００は、自装置のカテゴリに基づいて通信対象を決定してもよい。例えば、デバイス１００が「家族の物」というカテゴリを有している場合、他のデバイス１００のうち「家族の物」という同一のカテゴリを有しているデバイス１００を通信対象に決定してもよい。これによって、デバイス１００は、関係のない第三者のデバイス１００と通信を行うことを防ぐことができる。
【００４３】
また、デバイス１００は、ユーザによる過去の使用状況を記憶しておくことで当該デバイス１００の状態を適切に評価することができる。より具体的には、デバイス１００は、自装置に備えられる各種センサ（例えば、加速度センサ、ジャイロセンサ等）に基づいて自装置がどのような扱われ方をしているかを認識する。例えば、デバイス１００は、各種センサに基づいて振動、回転、水没、分解もしくは改造等のイベントの有無またはそれらの程度を認識する。そして、デバイス１００は、これらの情報に基づいて自装置の状態（または品質）を評価可能な指標値であるデバイス状態スコアを算出することができる。また、デバイス１００は、デバイス状態スコアの信頼度を示す指標値（または信頼度そのもの）である信頼スコアも併せて算出することができる。デバイス状態スコアおよび信頼スコアの算出方法については後述する。なお、デバイス状態スコアおよび信頼スコアの算出に用いられるセンサおよびイベントは特に限定されない。また、デバイス状態スコアおよび信頼スコアを算出する装置は、評価対象のデバイス１００自身であってもよいし、他のデバイス１００であってもよいし、外部装置（例えば、クラウドサーバ等）であってもよい。
【００４４】
また、デバイス１００は、ユーザによる各デバイス１００の使用状況等に基づいて、ユーザがデバイス１００をいかに適切に（または丁寧に）使用できるかを示す指標値（以降、「ユーザ物品使用スコア」と呼称する。ユーザ物品使用スコアは、ユーザによるデバイス１００の使用の適正を示す値とも言える）を算出することができる。より具体的には、デバイス１００は、デバイス状態スコア、信頼スコアおよび外部システムからの評価等を総合的に考慮してユーザ物品使用スコアを算出することができる。ユーザ物品使用スコアの算出方法については後述する。
【００４５】
上記のように、デバイス状態スコアと信頼スコアによるデバイス１００の状態の評価、および、ユーザ物品使用スコアによるユーザの評価が行われることによって、デバイス１００の状態の表示および価格設定等をより適切に行うことが可能になる。また、例えば、ユーザ毎に異なる状態のデバイス１００を貸与すること等が可能になる。これらの詳細については後述する。
【００４６】
また、シェアリングエコノミーサービス等において、デバイス１００は、借用者と実際の使用者が異なることを検出することができる。より具体的には、上記のとおり、デバイス１００は、各種センサに基づいてユーザ認証を行うことができるため、デバイス１００の使用者を認証することで、借用者と実際の使用者が異なるか否かを判断することができる。これによって、借用者と実際の使用者が異なる場合には、デバイス１００の使用を中止させたり、使用者のユーザ物品使用スコア等に応じて貸出価格を再設定したりすること等が可能となる。
【００４７】
また、本開示においては、デバイス１００に関する様々なＵＩが提供される。例えば、デバイス１００の管理に用いられるＵＩ、携帯すべきデバイス１００の推薦に用いられるＵＩ、忘れ物の通知に用いられるＵＩ、ユーザ認証の状況を示すＵＩ、デバイス１００の販売価格等を表示するＵＩ、または、ユーザが自らのユーザ物品使用スコア等を確認できるＵＩ等が提供される。各ＵＩの詳細については後述する。
【００４８】
＜３．デバイスの機能構成＞
上記では、本開示の概要について説明した。続いて、図３を参照して、デバイス１００の機能構成について説明する。なお、以下に説明する各機能構成の機能はあくまで一例であり、特に限定されるものではない。
【００４９】
図３に示すように、デバイス１００は、取得部１１０と、解析部１２０と、記憶部１３０と、通信部１４０と、制御部１５０と、を備える。
【００５０】
（取得部１１０）
取得部１１０は、デバイス１００に備えられる各種センサからのセンシングデータを取得する。取得部１１０は、取得したセンシングデータを記憶部１３０に格納する。
【００５１】
（解析部１２０）
解析部１２０は、取得部１１０によって取得されたセンシングデータを解析することで、各種処理を実現する。例えば、解析部１２０は、デバイス１００を携帯するユーザを認証する認証部として機能する。また、解析部１２０は、デバイス１００を共有する二人以上のユーザの関連性を認識する関連性認識部としても機能する。また、解析部１２０は、デバイス１００を携帯するユーザの行動予測を行う行動予測部としても機能する。また、解析部１２０は、デバイス１００のカテゴリを認識するカテゴリ認識部としても機能する。また、解析部１２０は、デバイス１００に過去発生したイベント等に基づいて当該デバイス１００の状態または品質を示す値（デバイス状態スコア）を算出するデバイス状態算出部としても機能する。さらに、解析部１２０は、ユーザによって過去に使用されたデバイス１００のデバイス状態スコアおよび信頼スコアに基づいて当該ユーザによるデバイス１００の使用の適正を示す値（ユーザ物品使用スコア）を算出するユーザ適正算出部としても機能する。解析部１２０の機能の詳細については後述する。
【００５２】
（記憶部１３０）
記憶部１３０は、各種情報を記憶する。例えば、記憶部１３０は、取得部１１０によって取得されたセンシングデータ、解析部１２０ないし制御部１５０の処理に用いられる各種情報、解析部１２０ないし制御部１５０の処理結果等を記憶する。また、記憶部１３０は、デバイス１００の各機能構成によって使用されるプログラムまたはパラメータ等を記憶してもよい。
【００５３】
（通信部１４０）
通信部１４０は、他装置との通信を行う。例えば、通信部１４０は、取得部１１０によって取得されたセンシングデータ、解析部１２０ないし制御部１５０によって生成された処理データ等を、無線通信によって他のデバイス１００へ送信する。また、通信部１４０は、他のデバイス１００から上記と同様のデータを受信してもよい。
【００５４】
（制御部１５０）
制御部１５０は、上記で説明した各機能構成の処理を統括的に制御する。また、制御部１５０は、解析部１２０の解析結果に基づいて各種処理を制御する。例えば、制御部１５０は、携帯することが推薦されるデバイス１００を出力する推薦部として機能し、ユーザに対して忘れ物や不要な物等を通知する。また、制御部１５０は、デバイス１００の携帯状態に基づいてデバイス１００の所有者を登録する登録部としても機能する。また、制御部１５０は、デバイス１００のカテゴリに基づいて他のデバイス１００との連携（携帯履歴情報の共有等）を制御する。また、制御部１５０は、デバイス１００が第三者に携帯されている場合にその旨を所有者へ通知する。また、制御部１５０は、現在または過去におけるデバイス１００の携帯状態に関する情報の表示を制御する。さらに、制御部１５０は、ユーザ認証の結果に基づいて自装置または他装置の処理を制御する（例えば、ドアやスマートフォン等のロック解除等）。制御部１５０の機能の詳細については後述する。
【００５５】
＜４．デバイスの動作＞
上記では、デバイス１００の機能構成について説明した。続いて、デバイス１００の動作について説明する。
【００５６】
（４−１．携帯認識）
まず、図４を参照して、ユーザによるデバイス１００の携帯有無を判定する動作（以降、「携帯認識」と呼称する）について説明する。
【００５７】
ステップＳ１０００では、解析部１２０がセンシングデータに基づいてユーザの行動認識を行う。より具体的には、解析部１２０は、センシングデータの特徴量を抽出し、事前に機械学習等によって生成された行動モデルに対して当該特徴量を入力する。そして、解析部１２０は、行動モデルにおける各行動の特徴量と入力した特徴量とを比較することで、ユーザの行動を認識する。当該処理はあくまで一例であり、行動認識処理はこれに限定されない。
【００５８】
ステップＳ１００４では、解析部１２０が、行動認識の結果とその他の各種情報に基づいて携帯認識スコアの算出を行う。「携帯認識スコア」とは、あるデバイス１００がユーザに携帯されているか否かを表す指標値である。
【００５９】
ステップＳ１００８では、解析部１２０は、近接認識（Ｓ１００８ａ）、動き認識（Ｓ１００８ｂ）、行動認識（Ｓ１００８ｃ）、ユーザ入力認識（Ｓ１００８ｄ）等の各種認識処理を行う（行動認識については、ステップＳ１０００の処理結果が用いられてもよい）。なお、これらの処理はあくまで一例であり、行われる処理は、これらに限定されるものではない。
【００６０】
「近接認識（Ｓ１００８ａ）」とは、認識対象であるデバイス１００以外に、ユーザに携帯されていることが判明しているデバイス１００が存在する場合にて、当該携帯されているデバイス１００と、認識対象であるデバイス１００との離隔距離を算出する処理を指す。仮に、携帯されているデバイスと認識対象であるデバイス１００が所定の距離以内に位置する場合、認識対象であるデバイス１００も共に携帯されている可能性が高い。
【００６１】
「動き認識（Ｓ１００８ｂ）」とは、例えば、認識対象であるデバイス１００の加速度センサによるデバイス１００の動きを検出する処理を指す。認識対象であるデバイス１００による動き認識の確信度が高いほど、当該デバイス１００がユーザに携帯されている可能性が高い。なお、加速度センサ以外のセンサが用いられてもよい。
【００６２】
「行動認識（Ｓ１００８ｃ）」の内容は、上記のとおりである。認識対象であるデバイス１００による行動認識の確信度が高いほど、当該デバイス１００はユーザに携帯されている可能性が高い。
【００６３】
「ユーザ入力認識（Ｓ１００８ｄ）」とは、ユーザ操作によって入力されたデバイス１００の携帯有無を認識する処理を指す。デバイス１００を携帯していることがユーザによって明示的に入力された場合、当該デバイス１００はユーザに携帯されている可能性が高い。なお、明示的な入力ではなく、ユーザがデバイス１００を携帯していると推認できるような何らかの入力によってユーザ入力認識が行われてもよい。
【００６４】
ステップＳ１０１２では、解析部１２０は、式１のように、近接認識、動き認識、行動認識、および、ユーザ入力認識のそれぞれの結果（確信度）に対して重み係数による重み付けが施された値を合算することで携帯認識スコアを算出する。
【００６５】
【数１】
2018230165.tif 000003
【００６６】
ステップＳ１０１６では、解析部１２０が、算出した携帯認識スコアと所定の閾値とを比較する。そして、解析部１２０は、携帯認識スコアが所定の閾値よりも高ければ、デバイス１００はユーザに携帯されていると判定し、携帯認識スコアが所定の閾値以下であれば、デバイス１００はユーザに携帯されていないと判定する。
【００６７】
上記の動作によって解析部１２０は、ユーザによるデバイス１００の携帯有無をより高い精度で認識することができる。なお、上記の動作は、あくまで一例であり適宜変更され得る。例えば、ステップＳ１００８の各種認識処理は、並行して行われてもよいし、要求されている精度等に応じて段階的に行われたり一部省略されたりしてもよい。
【００６８】
また、解析部１２０は、図５に示すように、携帯認識よりも負荷が低い処理を携帯認識と組み合わせることで消費電力を低減させてもよい。
【００６９】
例えば、ステップＳ１１００にて携帯認識が行われ、デバイス１００が携帯されていることが認識された後は、ステップＳ１１０４にて、解析部１２０は、加速度センサ等によって、携帯認識よりも負荷が低い処理である動き認識を一定時間毎に繰り返してもよい。そして、所定値よりも大きな動きの変化が検出されない場合（換言すると、ユーザが同様の動作を継続している場合）（ステップＳ１１０８／Ｎｏ）には、解析部１２０は、引き続き動き認識を一定時間毎に繰り返す。一方、所定値よりも大きな動きの変化が検出された場合（ステップＳ１１０８／Ｙｅｓ）、処理がステップＳ１１００に戻り、解析部１２０が携帯認識を行う。
【００７０】
上記の動作によって、解析部１２０は、消費電力を低減させることができる。すなわち、解析部１２０は、消費電力が高い携帯認識を常に継続するのではなく、ユーザの動きが大きく変化しない場合には携帯状態に大きな変化がないと認識して、より負荷が低い動き認識を行うことによって、デバイス１００が携帯されているか否かの認識精度を高く維持した状態で消費電力を低減させることができる。なお、上記の動作は、あくまで一例であり適宜変更され得る。
【００７１】
（４−２．携帯位置認識）
続いて、図６を参照して、デバイス１００が携帯されている位置（身体の一部（顔、耳、首、手、腕、腰、足等）に装着されている、ポケット（胸ポケット、ズボンの前後のポケット等）もしくは鞄（ショルダーバック、バックパック、トートバック等）に入れられている等）を判定する動作（以降、「携帯位置認識」と呼称する）について説明する。
【００７２】
ステップＳ１２００では、図４または図５で示した携帯認識が行われる。そして、デバイス１００がユーザに携帯されていると認識された場合には、ステップＳ１２０４にて、解析部１２０がセンシングデータに基づいて携帯位置認識を行う。例えば、解析部１２０は、加速度センサやジャイロセンサからのセンシングデータの特徴量を抽出し、事前に機械学習等によって生成された携帯位置モデルに対して当該特徴量を入力する。そして、解析部１２０は、携帯位置モデルにおける各携帯位置の特徴量と入力した特徴量とを比較することで、デバイス１００の携帯位置を認識する。これはあくまで一例であり、携帯位置の認識方法はこれに限定されない。
【００７３】
例えば、カテゴリが既知のデバイス１００については、解析部１２０は、上記の携帯位置認識を省略したり、携帯位置の候補を選定したり、あり得ない携帯位置を除外したりした上で携帯位置認識を行ったりしてもよい。より具体的には、デバイス１００のカテゴリが「靴」であれば、解析部１２０は、携帯位置を「足（足に装着）」とすることで携帯位置認識を省略してもよい。また、デバイス１００のカテゴリが「傘」であれば、解析部１２０は、「手（把持する）」、「腕（腕にかける）」、「鞄（鞄に入れる）」等を携帯位置の候補として選定したり、傘の携帯位置としてあり得ない、「足（足に装着）」、「頭（頭に装着）」等を除外したりした上で携帯位置認識を行ってもよい。また、ユーザが入力部（図示無し）を用いて、デバイス１００の携帯位置を入力することで、解析部１２０は携帯位置認識を省略してもよい。これらによって、解析部１２０は、消費電力をより低減させることができ、処理速度をより向上させることができる。
【００７４】
また、解析部１２０は、図７に示すように、携帯位置認識よりも負荷が低い処理を携帯位置認識と組み合わせることで消費電力を低減させてもよい。
【００７５】
例えば、ステップＳ１３００にて携帯認識が行われ、デバイス１００が携帯されていることが認識され、ステップＳ１３０４にて携帯位置認識が行われ、デバイス１００が携帯されている位置が認識されたとする。その後、解析部１２０は、ステップＳ１３０８にて、携帯位置認識よりも負荷が低い処理である携帯認識を一定時間毎に繰り返してもよい。そして、デバイス１００が携帯されている状態が継続している場合（ステップＳ１３１２／Ｙｅｓ）、解析部１２０は、引き続き携帯認識を一定時間毎に繰り返す。一方、デバイス１００が携帯されている状態が継続していない場合（ステップＳ１３１２／Ｎｏ）、処理がステップＳ１３０４に戻り、解析部１２０が再び携帯位置認識を行う。
【００７６】
上記の動作によって、解析部１２０は、消費電力を低減させることができる。すなわち、解析部１２０は、消費電力が高い携帯位置認識を常に継続するのではなく、携帯状態が継続している場合には、携帯位置に変化がないと認識して、より負荷が低い携帯認識を行うことによって、携帯位置の認識精度を高く維持した状態で消費電力を低減させることができる。例えば、靴や腕時計等のように携帯（装着）される位置が限られ、一度携帯されるとその位置が変わる可能性が低いデバイス１００については上記の処理が特に有効である。また、解析部１２０は、カテゴリ等に基づいてデバイス１００が靴や腕時計等の場合には携帯位置認識を適宜省略したり負荷の低い処理に変更したりしてもよい。なお、上記の動作は、あくまで一例であり適宜変更され得る。
【００７７】
（４−３．同一人物携帯認識）
続いて、図８を参照して、同一人物に携帯されているデバイス１００を判定する動作（以降、「同一人物携帯認識」と呼称する）について説明する。この動作によって、二人以上のユーザが互いに近く（所定の距離以内）に位置する場合、各デバイス１００は、ユーザ毎に携帯されているデバイス１００群を認識することができるため、後述する、ユーザを認証する動作を行うことができる。
【００７８】
まず、図示していないが、同一人物携帯認識が行われる前には、図４または図５で示した携帯認識が行われる。なお、図６または図７で示した携帯位置認識が併せて行われてもよい。そして、携帯認識により、デバイス１００がユーザに携帯されていると認識された場合には、ステップＳ１４００にて、解析部１２０は、デバイスリストから携帯状態のデバイス１００を抽出する。
【００７９】
そして、解析部１２０は、ステップＳ１４０４にて、携帯状態のデバイス１００のうち２つを選択し、ステップＳ１４０８にて、同一人物携帯スコアの算出を行う。「同一人物携帯スコア」とは、２つのデバイス１００が同一人物に携帯されているか否かの判定に用いられる指標値である。
【００８０】
ステップＳ１４１２では、解析部１２０は、近接認識（Ｓ１４１２ａ）、動き認識（Ｓ１４１２ｂ）、行動認識（Ｓ１４１２ｃ）、携帯位置認識（Ｓ１４１２ｄ）等の各種認識処理を行う（各種認識処理については、前段で行われた処理結果が用いられてもよい）。なお、これらの各種認識処理の内容は、上記のとおりである。また、これらの処理はあくまで一例であり、行われる処理は、これらに限定されるものではない。
【００８１】
「近接認識（Ｓ１４１２ａ）」によって、２つのデバイス１００間の離隔距離が算出される。２つのデバイス１００間の距離が近いほど、各デバイス１００は同一ユーザに携帯されている可能性が高い。
【００８２】
「動き認識（Ｓ１４１２ｂ）」によって、デバイス１００の動きが検出される。２つのデバイス１００の動きの相関値が高いほど、各デバイス１００は同一ユーザに携帯されている可能性が高い。
【００８３】
「行動認識（Ｓ１４１２ｃ）」によって、ユーザの行動が認識される。２つのデバイス１００によって認識されたユーザの行動の相関値が高いほど、各デバイス１００は同一ユーザに携帯されている可能性が高い。
【００８４】
「携帯位置認識（Ｓ１４１２ｄ）」によって、デバイス１００の携帯位置が認識される。２つのデバイス１００の携帯位置が同一または類似である場合において、各デバイス１００の動きに相関がある場合、各デバイス１００は同一ユーザに携帯されている可能性が高い。
【００８５】
ステップＳ１４１６では、解析部１２０は、式２のように、近接認識、動き認識、行動認識、および、携帯位置認識のそれぞれの結果（確信度）に対して重み係数による重み付けが施された値を合算することで同一人物携帯スコアを算出する。
【００８６】
【数２】
2018230165.tif 000004
【００８７】
ステップＳ１４２０では、解析部１２０が、算出した同一人物携帯スコアと所定の閾値とを比較する。そして、解析部１２０は、同一人物携帯スコアが所定の閾値よりも高ければ、２つのデバイス１００は同一人物に携帯されていると判定し、同一人物携帯スコアが所定の閾値以下であれば、２つのデバイス１００は同一人物に携帯されていないと判定する。解析部１２０は、同一人物携帯スコアの算出および所定の閾値との比較を、携帯状態にあるデバイス１００について総当たり的に繰り返す。当該処理の結果、ステップＳ１４２４では、解析部１２０が同一人物に携帯されているデバイス１００のリスト（図中では「同一人物携帯デバイスリスト」と表している）を作成する。
【００８８】
上記の動作によって解析部１２０は、同一人物に携帯されているデバイス１００をより高い精度で認識することができる。なお、上記の動作は、あくまで一例であり適宜変更され得る。例えば、ステップＳ１４１２の各種認識処理は、並行して行われてもよいし、要求されている精度等に応じて段階的に行われたり一部省略されたりしてもよい。
【００８９】
また、解析部１２０は、図９に示すように、同一人物携帯認識よりも負荷が低い処理を同一人物携帯認識と組み合わせることで消費電力を低減させてもよい。
【００９０】
例えば、ステップＳ１５００にて携帯認識が行われ、デバイス１００が携帯されていることが認識され、ステップＳ１５０４にて同一人物携帯認識が行われ、同一人物に携帯されているデバイス１００が認識されたとする。なお、上記のとおり、携帯位置認識が併せて行われてもよい。その後、解析部１２０は、ステップＳ１５０８にて、同一人物携帯認識よりも負荷が低い処理である携帯認識を一定時間毎に繰り返してもよい。そして、同一人物に携帯されていると認識された全デバイス１００の携帯状態が継続している場合（ステップＳ１５１２／Ｙｅｓ）、解析部１２０は、引き続き携帯認識を一定時間毎に繰り返す。一方、いずれかのデバイス１００の携帯状態が変化した場合（ステップＳ１５１２／Ｎｏ）、処理がステップＳ１５０４に戻り、解析部１２０が再び同一人物携帯認識を行う。
【００９１】
上記の動作によって、解析部１２０は、消費電力を低減させることができる。すなわち、解析部１２０は、消費電力が高い同一人物携帯認識を常に継続するのではなく、携帯状態が継続している場合には、各デバイス１００が継続的に同一人物に携帯されていると認識し、より負荷が低い携帯認識を行うことによって、同一人物携帯認識の精度を高く維持した状態で消費電力を低減させることができる。なお、上記の動作は、あくまで一例であり適宜変更され得る。
【００９２】
（４−４．携帯人物認識（ユーザ認証））
続いて、図１０を参照して、デバイス１００を携帯しているユーザを判定する動作（以降、「携帯人物認識」と呼称する。ユーザ認証と等価）について説明する。
【００９３】
まず、図示していないが、携帯人物認識が行われる前には、携帯認識、携帯位置認識および同一人物携帯認識が行われることを想定しているが、これに限定されない。
【００９４】
そして、解析部１２０は、ステップＳ１６００にて、デバイス１００を携帯しているユーザの候補が示されているユーザリストから一名を選択し、ステップＳ１６０４にて、携帯人物スコアの算出を行う。「携帯人物スコア」とは、リストから選択された一名と、携帯人物認識の対象となるユーザとの類似度を表す指標値である。
【００９５】
ステップＳ１６０８では、解析部１２０は、行動認識（Ｓ１６０８ａ）、携帯位置認識（Ｓ１６０８ｂ）、携帯シーケンス認識（Ｓ１６０８ｃ）等の各種認識処理を行う（行動認識または携帯位置認識については、前段で行われた処理結果が用いられてもよい）。また、これらの処理はあくまで一例であり、行われる処理は、これらに限定されるものではない。
【００９６】
「行動認識（Ｓ１６０８ａ）」によって、デバイス１００の携帯状態を含むユーザの行動が認識される。ユーザリストから選択されたユーザと、認証対象のユーザとの行動の相関値が高いほど、各ユーザは同一人物である可能性が高い。
【００９７】
「携帯位置認識（Ｓ１６０８ｂ）」によって、デバイス１００の携帯位置が認識される。各ユーザについて、デバイス１００の携帯位置の相関値が高い程、各ユーザは同一人物である可能性が高い。
【００９８】
「携帯シーケンス認識（Ｓ１６０８ｃ）」とは、複数のデバイス１００がユーザによって携帯されるタイミングを認識する処理を指す。例えば、ユーザが各デバイス１００を携帯する順番（どのデバイス１００を先に携帯するか、または、どのデバイス１００を同時に携帯するか等）や、あるデバイス１００を携帯してから別のデバイス１００を携帯するまでの所要時間等についての相関値が高い程、各ユーザは同一である可能性が高い。
【００９９】
ステップＳ１６１２では、解析部１２０は、式３のように、行動認識、携帯位置認識、および、携帯シーケンス認識のそれぞれの結果（確信度）に対して重み係数による重み付けが施された値を合算することで携帯人物スコアを算出する。また、解析部１２０は、ユーザリストに示されている全員についての携帯人物スコアの算出が完了するまで処理を繰り返す。
【０１００】
【数３】
2018230165.tif 000005
【０１０１】
ここで、図１１および図１２を参照して、携帯人物スコア算出のイメージについて説明する。図１１の１１Ａおよび１１Ｂは、ユーザリストから選択されたユーザの一部であるユーザＡおよびユーザＢによるデバイス１００Ａ〜デバイス１００Ｃの携帯履歴情報を時系列的に示している。そして、解析部１２０は、１１Ｃに示した認証対象のユーザと、ユーザリストから選択されたユーザＡおよびユーザＢとの類似度を表す携帯人物スコアを算出する。
【０１０２】
解析部１２０は、行動認識の結果として、各時間帯にいずれのデバイス１００を携帯し、どのような行動をしているか等を認識し、携帯位置認識の結果として、デバイス１００の携帯位置はどこか等を認識し、携帯シーケンス認識の結果として、各デバイス１００をどのような順番で携帯したか等を認識する。そして、解析部１２０は、これらの要素に基づいて認証対象のユーザと、ユーザＡおよびユーザＢとの類似度を表す携帯人物スコアを算出する。例えば、１１Ａの方が、１１Ｂよりも１１Ｃに類似しているため、解析部１２０は、ユーザＡの携帯人物スコアをユーザＢよりも高く出力する。
【０１０３】
また、解析部１２０は、各デバイス１００の携帯状態が時系列的に示された図１１ではなく、図１２のように、各デバイス１００の携帯状態が行動シーケンス毎に示された携帯履歴情報が用いられてもよい。「行動シーケンス」とは、ユーザが行った行動の順番に関する情報である。例えば、図１２に示すように、携帯履歴情報には、各ユーザの典型的な行動の順番が示され、それぞれの行動時の各デバイス１００の携帯状態が示されている。なお、各バー１０の長さは、各行動時においてデバイス１００が表記の携帯位置で携帯される確率を示している。デバイス１００は、携帯履歴情報を行動シーケンス毎に記憶することによって、時系列的に記憶する場合に比べてデータ容量を圧縮することができる。
【０１０４】
解析部１２０は、図１１および図１２のいずれの方法を用いて携帯人物スコアを算出してもよい。なお、比較対象とされる携帯履歴情報の期間は任意である。例えば、解析部１２０は、ユーザが一日の活動を開始した時点からの携帯履歴情報に基づいて携帯人物スコアを算出してもよい。また、解析部１２０はある時点におけるデバイス１００の携帯状態に基づいて携帯人物スコアを算出してもよい。例えば、解析部１２０は、ある時刻や、ユーザがある行動を行う時点におけるデバイス１００の携帯状態に基づいて携帯人物スコアを算出してもよい。これによって、例えば、ユーザが帰宅する直前に、自宅の鍵であるデバイス１００が携帯人物スコアを算出しユーザ認証を可能にすることで、ユーザが鍵を用いて自宅に入れるようにすること等ができる。
【０１０５】
また、解析部１２０は、デバイス１００が携帯されていないことの情報も用いて携帯人物スコアを算出してもよい。例えば、解析部１２０は、ある時間帯にデバイス１００Ａが携帯されて、かつ、デバイス１００Ｂが携帯されていないという情報に基づいて携帯人物スコアを算出してもよい。また、解析部１２０は、デバイス１００が位置している場所の情報も用いて携帯人物スコアを算出してもよい。
【０１０６】
そして、図１０のステップＳ１６１６では、解析部１２０は、携帯人物スコアリストを作成する。「携帯人物スコアリスト」とは、ユーザ毎に携帯人物スコアが示されたリストである。ステップＳ１６２０では、解析部１２０は、携帯人物スコアリストの各スコアと所定の閾値とを比較する。「所定の閾値」とは、各ユーザと認証対象のユーザが同一人物である可能性の有無の境界値として設定される値であることを想定しているが、これに限定されない。これによって、解析部１２０は、認証対象のユーザと同一人物である可能性が無い（または、限りなく低い）ユーザを排除することができる。
【０１０７】
認証対象のユーザと同一人物である可能性があるユーザが存在する場合（ステップＳ１６２４／Ｙｅｓ）、ステップＳ１６２８にて、解析部１２０が最大の携帯人物スコアを有するユーザを出力する。なお、解析部１２０は、複数の携帯人物スコアが拮抗している場合には該当する二人以上のユーザを出力してもよいし、携帯人物スコアリスト自体を出力してもよい。ユーザリスト中のいずれのユーザも、認証対象のユーザと同一人物ではないと考えられる場合（ステップＳ１６２４／Ｎｏ）には、そのまま処理が終了する。なお、解析部１２０は、該当者が存在しない旨の情報を出力してもよいし、携帯人物スコアの内容を出力してもよい。
【０１０８】
上記の動作によって解析部１２０は、デバイス１００を携帯しているユーザをより高い精度で認証することができる。なお、上記の動作は、あくまで一例であり適宜変更され得る。例えば、ステップＳ１６０８の各種認識処理は、並行して行われてもよいし、要求されている精度等に応じて段階的に行われたり一部省略されたりしてもよい。
【０１０９】
また、解析部１２０は、図１３に示すように、携帯人物認識よりも負荷が低い処理を携帯人物認識と組み合わせることで消費電力を低減させつつ、ユーザの同一性を担保してもよい。
【０１１０】
例えば、ステップＳ１７００にて携帯認識が行われ、デバイス１００が携帯されていることが認識され、ステップＳ１７０４にて同一人物携帯認識が行われ、同一人物に携帯されているデバイス１００が認識される。なお、併せて携帯位置認識が行われてもよい。そして、ステップＳ１７０８にて携帯人物認識が行われ、デバイス１００を携帯しているユーザが認証されたとする。その後、解析部１２０は、ステップＳ１７１２にて、携帯人物認識よりも負荷が低い処理である同一人物携帯認識を一定時間毎に繰り返してもよい。そして、各デバイス１００が同一人物によって携帯されている状態が継続している場合（ステップＳ１７１６／Ｙｅｓ）、解析部１２０は、引き続き同一人物携帯認識を一定時間毎に繰り返す。一方、各デバイス１００が同一人物によって携帯されていない状態である場合（ステップＳ１７１６／Ｎｏ）、処理がステップＳ１７０８に戻り、解析部１２０が再び携帯人物認識を行う。
【０１１１】
上記の動作によって、解析部１２０は、消費電力を低減させることができる。すなわち、解析部１２０は、消費電力が高い携帯人物認識を常に継続するのではなく、同一人物による携帯状態が継続している場合には、各デバイス１００を携帯しているユーザに変更はないと認識し、より負荷が低い同一人物携帯認識を行う。これにより、解析部１２０は、デバイス１００を携帯しているユーザの認証精度を高く維持した状態で消費電力を低減させることができる。なお、上記の動作は、あくまで一例であり適宜変更され得る。
【０１１２】
（４−５．人物関連性認識）
続いて、図１４を参照して、デバイス１００を共有しているユーザ間の関連性を判定する動作（以降、「人物関連性認識」と呼称する）の概要について説明する。上記のとおり、二人以上のユーザがデバイス１００を共有している場合、各デバイス１００の共有状況に基づいて各ユーザの関連性が認識され得る。
【０１１３】
例えば、ユーザ間で共有されている各デバイス１００の重要度に応じて各ユーザの関連性が認識され得る。より具体的には、図１４に示すように、「スマートフォン」や「自宅の鍵」等のように重要度が高いデバイス１００が二人以上のユーザ間で共有されている場合には、各ユーザの関連性は高いと認識され得る。一方、「カメラ」等の重要度が中程度のデバイス１００が共有されている場合には、各ユーザの関連性も中程度と認識され得、「部室の鍵」、「事務所の鍵」または「本」等の重要度が低いデバイス１００が共有されている場合には、各ユーザの関連性も低いと認識され得る。なお、各デバイス１００の重要度とは、一般的に認識されている重要度に限られない。例えば、ユーザが所定の方法で各デバイス１００の重要度（または重要度に相当する指標値）を設定することができてもよい。
【０１１４】
なお、上記はあくまで一例であり、各ユーザの関連性の認識方法はこれに限定されない。例えば、ユーザ間で共有されるデバイス１００の数に応じて各ユーザの関連性が認識されてもよい。ユーザ間で共有しているデバイス１００の数が多いほど、各ユーザの関連性がより高いと認識され得る。
【０１１５】
各ユーザの関連性が認識された場合、デバイス１００はこの関連性に基づいて様々な制御をすることが可能となる。例えば、デバイス１００が「カメラ」である場合には、所有者と関連性の高いユーザとそうでないユーザとで、閲覧可能な撮影画像や使用可能な操作内容等を自律的に変えることができる。
【０１１６】
続いて、図１５を参照して、人物関連性認識の具体的な動作について説明する。ステップＳ１８００では、解析部１２０が、携帯履歴情報から過去に当該デバイス１００を使用したユーザのリストを抽出する。そして、解析部１２０は、ステップＳ１８０４にて、デバイス１００を使用したユーザのうち２名を選択し、ステップＳ１８０８にて、人物関連性スコアの算出を行う。「人物関連性スコア」とは、２名のユーザの関連性の判定に用いられる指標値である。
【０１１７】
ステップＳ１８１２では、解析部１２０は、重要度スコア算出（Ｓ１８１２ａ）、共有数スコア算出（Ｓ１８１２ｂ）等の各種処理を行う。また、これらの処理はあくまで一例であり、行われる処理は、これらに限定されるものではない。
【０１１８】
「重要度スコア算出（Ｓ１８１２ａ）」とは、各デバイス１００の重要度の指標値を算出する処理を指す。デバイス１００は、各デバイス１００のカテゴリもしくは、携帯履歴情報等に基づいて各デバイス１００の重要度スコアを算出する。
【０１１９】
「共有数スコア算出（Ｓ１８１２ｂ）」とは、選択された２名によって共有されているデバイス１００の数の指標値を算出する処理を指す。
【０１２０】
ステップＳ１８１６では、解析部１２０は、式４のように、重要度スコア算出および共有数スコア算出のそれぞれの結果に対して重み係数による重み付けが施された値を合算することで人物関連性スコアを算出する。解析部１２０は、人物関連性スコアの算出を、デバイス１００を使用したユーザについて総当たり的に繰り返す。
【０１２１】
【数４】
2018230165.tif 000006
【０１２２】
ステップＳ１８２０では、解析部１２０が人物関連性スコアに基づいて人物クラスタリングリストを生成する。「人物クラスタリングリスト」とは、関連性を有するユーザの組み合わせと、その関連性の高さ（人物関連性スコア）を示すリストであり、各ユーザを複数のグループに区分する情報である。
【０１２３】
ステップＳ１８２４では、関連性の高さに基づいて各ユーザが所属しているグループの属性を判定する。例えば、デバイス１００は、各グループの関連性の高さ（人物関連性スコア）と、所定の閾値とを比較することによって、各グループの属性（例えば、家族、親しい友人、サークルメンバー、同僚等）を識別する。
【０１２４】
上記の動作によって解析部１２０は、デバイス１００を共有しているユーザ間の関連性をより高い精度で認識することができる。なお、上記の動作は、あくまで一例であり適宜変更され得る。例えば、ステップＳ１８１２の各種処理は、並行して行われてもよいし、要求されている精度等に応じて段階的に行われたり一部省略されたりしてもよい。
【０１２５】
（４−６．所属確認とその後の動作）
続いて、図１６および図１７を参照して、デバイス１００による所属確認とその後の動作について説明する。「所属確認」とは、上記の携帯人物認識や人物関連性認識を用いてデバイス１００が自装置の所有者や所属グループを確認する処理を指す。
【０１２６】
図１６は、所有者が設定されていないデバイス１００が所属確認を行い、自装置の所有者を設定する動作を示す。
【０１２７】
ステップＳ１９００では携帯認識が行われ、デバイス１００が携帯されていることが認識され、ステップＳ１９０４では同一人物携帯認識が行われ、同一人物に携帯されているデバイス１００が認識される。なお、併せて携帯位置認識が行われてもよい。そして、ステップＳ１９０８では携帯人物認識が行われ、デバイス１００を携帯しているユーザが認証されたとする。
【０１２８】
ステップＳ１９１２では、制御部１５０が自装置の所属を確認する。例えば、制御部１５０は、自装置の所有者を確認する。自装置の所有者が設定されていない場合（ステップＳ１９１６／Ｙｅｓ）、ステップＳ１９２０にて、制御部１５０が、自装置を携帯しているユーザを所有者として登録する。ステップＳ１９２４では、制御部１５０が、所有者の登録を行った旨をユーザに対して所定の方法で通知する。既に所有者が設定されている場合（ステップＳ１９１６／Ｎｏ）には、そのまま処理が終了する。
【０１２９】
上記の動作によって、ユーザが所有者登録を行わなくてもよくなる。なお、上記の動作は、あくまで一例であり適宜変更され得る。例えば、ステップＳ１９２０にて、自装置を携帯しているユーザを所有者として登録する前に、制御部１５０は、所有者登録の許可をユーザに求める動作を行ってもよい。これによって、制御部１５０は、ユーザが意図しない所有者登録を防ぐことができる。
【０１３０】
続いて、図１７の動作について説明する。図１７は、デバイス１００が所有者ではないユーザ（または所有者と関連性の低いユーザ）によって携帯されている場合に所有者への通知等を行う動作を示す。
【０１３１】
ステップＳ２０００〜ステップＳ２００８は、図１６のステップＳ１９００〜ステップＳ１９０８と同一であるため、説明を省略する。ステップＳ２０１２では、制御部１５０が自装置の所属を確認する。例えば、制御部１５０は、自装置の所有者ないし所属グループを確認する。そして、自装置が、所有者ではない人物や、関連性の高い所属グループ（例えば、家族等）に属さない人物によって携帯されていると判定された場合（ステップＳ２０１６／Ｙｅｓ）、ステップＳ２０２０にて、制御部１５０がその旨を所有者に対して所定の方法で通知する。自装置が、所有者や関連性の高い所属グループに属する人物によって携帯されていると判定された場合（ステップＳ２０１６／Ｎｏ）には、そのまま処理が終了する。
【０１３２】
上記の動作によって、デバイス１００の盗難や紛失等が防止され得る。なお、上記の動作は、あくまで一例であり適宜変更され得る。例えば、ステップＳ２０１６にて、自装置が、関連性の高い所属グループに属する人物等に携帯されていると判定された場合（ステップＳ２０１６／Ｎｏ）においても、制御部１５０は、その旨を所有者に対して所定の方法で通知してもよい。また、自装置が所有者ではない人物等によって携帯されていると判定された場合に（ステップＳ２０１６／Ｙｅｓ）、制御部１５０は、自装置の一部機能の使用を制限したり、重点的に監視を行ったり、自装置の所有者を当該人物に変更するか否か（デバイス１００の譲渡）もしくは自装置を当該人物に貸与するか否かを現所有者へ問い合わせたりしてもよい。また、携帯されているデバイス１００自体ではなく、そのデバイス１００の周囲に存在する他のデバイス１００によって上記の処理が実現されてもよい。
【０１３３】
（４−７．行動予測および携帯推薦）
続いて、図１８を参照して、デバイス１００の携帯状態に基づくユーザの行動予測および携帯するデバイス１００を推薦する動作（以降、「携帯推薦」と呼称する）について説明する。上記のとおり、例えば、デバイス１００は、ユーザが携帯しているデバイス１００の組み合わせ等に基づいてユーザの行動を予測することができる。そして、デバイス１００は、行動予測結果に基づいてユーザが携帯することが望ましいと考えられる推薦デバイス１００を算出し、推薦デバイス１００と現実に携帯されているデバイス１００とを比較することで、デバイス１００の過不足（例えば、忘れ物、不要な持ち物等）をユーザに通知することができる。
【０１３４】
ステップＳ２１００〜ステップＳ２１０８は、図１６のステップＳ１９００〜ステップＳ１９０８と同一であるため、説明を省略する。ステップＳ２１１２では、解析部１２０が行動予測を行う。より具体的には、ステップＳ２１１６にて、解析部１２０が行動履歴リストを抽出する。ここで、「行動履歴リスト」とは、図１９に示すように、行動と、各行動時におけるデバイス１００の携帯状態（図１９には、一例として、各行動時にデバイス１００が携帯される確率に関する値が表されている）とが対応付けられた情報である。なお、図１９はあくまで一例であり、行動履歴リストの内容はこれに限定されない。
【０１３５】
解析部１２０は、ステップＳ２１２０にて行動履歴リストから１つの行動を選択し、ステップＳ２１２４にてデバイス・行動関連性スコアを算出する。「デバイス・行動関連性スコア」とは、デバイス１００の携帯状態と、選択された行動との関連性を示す指標値である。例えば、ユーザが図１９におけるデバイス１００Ａ〜デバイス１００Ｃを携帯している場合、デバイス・行動関連性スコアは、行動履歴リスト中の各行動におけるデバイス１００Ａ〜デバイス１００Ｃに対応する値に基づいて算出される（例えば、デバイス１００Ａ〜デバイス１００Ｃに対応する値の合計値もしくは平均値等）。
【０１３６】
解析部１２０は、デバイス・行動関連性スコアの算出を、全ての行動に対して行う。ステップＳ２１２８では、解析部１２０が、デバイス・行動関連性スコアの最も高い行動を出力する。図１９の例では、ユーザが携帯しているデバイス１００Ａ〜デバイス１００Ｃに対応する値が最も高い行動Ｃが出力される（換言すると、ユーザは行動Ｃを行うと予測される）。上記の動作によって解析部１２０は、デバイス１００の携帯状態に基づいてユーザの行動をより高い精度で予測することができる。
【０１３７】
そして、ステップＳ２１３２にて、行動予測の結果に基づいて携帯推薦の動作が行われる。まず、制御部１５０が、ステップＳ２１３６にて行動履歴リストを抽出し、ステップＳ２１４０にて行動に基づく携帯デバイスリストのソートを行う。「携帯デバイスリスト」とは、図２０の２０Ａに示すように、各デバイス１００、スコア（携帯される確率）および携帯状態が対応付けられた情報である。制御部１５０は、２０Ａに示すように、行動予測によって出力された行動Ｃについてスコアが高い順に携帯デバイスリストのソートを行う。
【０１３８】
ステップＳ２１４４では、制御部１５０は、２０Ｂに示すように、携帯デバイスリストから携帯されているデバイス１００を除去することで、忘れ物の一覧を出力する（または、制御部１５０は、携帯デバイスリストと携帯されているデバイス１００との差分を抽出することで、忘れ物および不要な持ち物の一覧を出力してもよい）。ステップＳ２１４８では、制御部１５０が出力結果をユーザに対して所定の方法で通知する。
【０１３９】
上記の動作によって、デバイス１００は、デバイス１００の過不足（例えば、忘れ物、不要な持ち物等）をより高い精度で認識し、ユーザに通知することができる。なお、上記の動作は、あくまで一例であり適宜変更され得る。例えば、ユーザの行動が既知である場合には、ステップＳ２１１２の行動予測は適宜省略されてもよい。また、デバイス１００は、ユーザの忘れ物や不要な持ち物の傾向を学習することで、デバイス１００毎に処理の精度や内容を変更してもよい。また、デバイス１００が使用される期間が限定される場合（例えば、冬季のみ使用されるスキー用品やスケート用品等）、デバイス１００は、使用される期間とそうでない期間とで処理の精度や内容を変更してもよい。
【０１４０】
（４−８．デバイス１００の状態の評価）
続いて、図２１を参照して、デバイス１００の状態の評価に関する動作について説明する。
【０１４１】
まず、ステップＳ２２００では、デバイス１００がデバイス状態スコアを算出する。より具体的には、解析部１２０は、式５のように、振動、回転、水没、分解または改造等のイベントの検出結果（例えば、各イベントの検出回数およびその程度を示す値）およびユーザによって指示（または、入力）された値に対して重み係数による重み付けを施した値を合算することでデバイス状態スコアを算出する。
【０１４２】
【数５】
2018230165.tif 000007
【０１４３】
上記のように、デバイス状態スコアは、振動、回転、水没、分解または改造等のイベントの検出結果に基づいて変化する。例えば、図２２に示すように、出荷時には、１．０を示していたデバイス状態スコアは、振動および水没等の検出に伴って逓減していくことで、デバイス１００の状態が徐々に悪くなっていくことを表す。また、振動および水没等が検出されていない期間においても、デバイス状態スコアが逓減することで、デバイス１００が経年劣化することも表す。また、デバイス状態スコアは、ユーザの指示によっても変化するため、ユーザは、所定の指示をすることで振動等のイベントの影響をキャンセルしたり補正したりすることができる。また、ユーザは所定の指示をすることでデバイス状態スコアの更新機能の起動または停止を制御することもできる。なお、図２２はあくまで一例であり、デバイス状態スコアの変化の仕方はこれに限定されない。例えば、デバイス１００の状態が向上するようなイベントが発生した場合には、デバイス状態スコアが増加してもよい。
【０１４４】
そして、図２１のステップＳ２２０４では、デバイス１００は、デバイス状態スコアの信頼度の指標値である信頼スコアを算出する。より具体的には、解析部１２０は、式６のように、デバイス状態スコアの記録期間（イベントの記録期間と同義）を示す値、デバイス１００の使用期間に対する、デバイス状態スコアの記録期間の割合を示す値、および、デバイス状態スコアの算出に使用されるセンサ（検出器）の数を示す値に対して重み係数による重み付けを施した値を合算することで信頼スコアを算出する。
【０１４５】
【数６】
2018230165.tif 000008
【０１４６】
なお、上記の動作は、あくまで一例であり適宜変更され得る。例えば、デバイス状態スコアの算出に用いられる上記のイベントは適宜変更されてもよい。より具体的には、デバイス状態スコアの算出に用いられるイベントは上記に限定されず、デバイス１００の状態に影響を及ぼすイベントであればいかなるイベントでもよい。また、デバイス１００の使用頻度に関する情報、使用回数に関する情報、または、使用したユーザに関する情報等（例えば、ユーザ物品使用スコア等）が考慮されてもよい。また、信頼スコアの算出に用いられる上記の要素も適宜変更されてもよい。より具体的には、信頼スコアの算出に用いられる要素は、デバイス状態スコアの信頼度に影響を及ぼす要素であればいかなるものであってもよい。
【０１４７】
また、デバイス１００は、上記で説明した方法で使用者を認証することができるため、デバイス状態スコアまたは信頼スコアを、使用者毎に区別して算出してもよい。より具体的には、デバイス１００は、各使用者がデバイス１００を使用した期間を特定し、各期間にて発生した振動等のイベント等に基づいてデバイス状態スコア等を算出してもよい。
【０１４８】
ユーザ（例えば、デバイス１００の販売者または貸与者を含む）は、上記動作によって算出されたデバイス状態スコアを用いることで、各デバイス１００を適切に管理することができる。例えば、図２３に示すように、デバイス状態スコアが含まれる範囲に基づいてデバイス１００のランク（この例では、Ｓランク〜Ｃランク）が決められてもよい。これによって、デバイス１００の貸出しの際に、貸与者は、借用者に応じてランクの異なるデバイス１００を貸与することができる。例えば、借用者がデバイス１００を粗悪に扱う可能性が高い場合（換言すると、借用者のユーザ物品使用スコアが低い場合）、貸与者は、よりランクの低いデバイス１００を貸与する等の対応をとることができる。
【０１４９】
また、デバイス１００が複数のランクに分類されることによって、デバイス状態スコアがそのまま用いられる場合に比べて、管理方法をより簡素にすることができる。より具体的には、デバイス状態スコアがそのまま用いられる場合、ユーザは、デバイス状態スコア毎に管理方法を策定する必要があるが、デバイス１００が複数のランクに分類される場合、ユーザは、そのランク毎に管理方法を策定すれば済むため、管理方法がより簡素になる。
【０１５０】
また、上記のとおり、デバイス１００の販売価格（または貸出価格）がデバイス状態スコアに基づいて設定されてもよい。このとき、図２３に示すように、デバイス状態スコアが含まれる範囲に基づいて販売価格等の設定に用いられる係数（この例では、０．７〜１．０）が決められてもよい（以降、当該係数を「ランク係数」と呼称する）。
【０１５１】
続いて、デバイス１００の販売価格（または貸出価格）の設定方法について説明する。例えば、デバイス１００の販売価格等は、式７のように、デバイス状態スコアと通常中古価格を乗算して得られる価格であってもよい（なお、デバイス状態スコアが０．０〜１．０で表される場合を想定している）。ここで、通常中古価格とは、例えば、未使用のデバイス１００の販売価格であり得、かつ、これに限定されない。これによって、状態の悪いデバイス１００ほど、販売価格（または貸出価格）が低く設定される。
【０１５２】
【数７】
2018230165.tif 000009
【０１５３】
また、デバイス１００の販売価格等は、式８のように、デバイス状態スコア、需要係数、経年劣化の指標値および新品価格を乗算して得られる価格であってもよい（換言すると、通常中古価格が、需要係数、経年劣化の指標値および新品価格を乗算して得られる価格であってもよい）。ここで、需要係数は、販売時（または貸出時）における市場でのデバイス１００の需要を示す何らかの値であればよい。また、経年劣化の指標値は、振動等のイベントによらない経年劣化（例えば、デバイス１００が使用されず保管されていた期間の劣化）を示す何らかの指標値であればよい。
【０１５４】
【数８】
2018230165.tif 000010
【０１５５】
また、デバイス１００の販売価格等は、式９のように、ランク係数と通常中古価格を乗算して得られる価格であってもよい。
【０１５６】
【数９】
2018230165.tif 000011
【０１５７】
なお、販売価格等の設定方法は上記に限定されない。例えば、上記の各式で用いられた要素（例えば、各係数、通常中古価格または新品価格等）は適宜省略されたり変更されたりしてもよい。より具体的には、式８において、需要係数および経年劣化の指標値が省略されることで、販売価格がデバイス状態スコアと新品価格との乗算によって算出されてもよい。また、上記の方法が応用されることで、デバイス１００の買取価格が設定されてもよい。
【０１５８】
（４−９．ユーザ物品使用スコアの算出）
続いて、図２４を参照して、ユーザ物品使用スコアの算出動作について説明する。
【０１５９】
ステップＳ２３００では、解析部１２０は、ユーザが過去に使用した全てのデバイス１００に関するデバイス状態スコアの合計値を算出する。より具体的には、解析部１２０は、ステップＳ２３０４にて上記の式５の演算を行う処理を、ユーザが過去に使用した全てのデバイス１００に対して繰り返し行う。そして、その後、ステップＳ２３０８にて、解析部１２０は、全てのデバイス１００に関するデバイス状態スコアを合算する処理を行う。
【０１６０】
ここで、ユーザが過去に使用した全てのデバイス１００を特定する方法について説明する。デバイス１００は、上記のとおりユーザ認証を行うことで、ユーザが過去に使用した全てのデバイス１００、および、ユーザが各デバイス１００を使用した期間を特定することができる。そのため、ステップＳ２３０４にて、解析部１２０は、ユーザが各デバイス１００を使用した期間にて発生した振動等のイベント等に基づいて各デバイス１００のデバイス状態スコアを算出することができる。これによって、１つのデバイス１００が過去に複数のユーザによって使用された場合であっても、各ユーザによるデバイス１００の扱い方がそれぞれのユーザ物品使用スコアに適切に反映される。
【０１６１】
ステップＳ２３１２では、解析部１２０は、デバイス状態スコアに関する信頼スコアの合計値を算出する。より具体的には、解析部１２０は、ステップＳ２３１６にて上記の式６の演算を行う処理を、ユーザが過去に使用した全てのデバイス１００に対して繰り返し行う。そして、その後、ステップＳ２３２０にて、解析部１２０は、全てのデバイス１００に関する信頼スコアを合算する処理を行う。
【０１６２】
ステップＳ２３２４では、解析部１２０は、外部システムから提供される情報に基づくユーザの総合的な評価を示す指標値である外部評価スコアを算出する。より具体的には、解析部１２０は、外部システムから提供されるユーザに関する何らかの評価を取得し、当該評価に対して重み係数による重み付けを施した値を合算したりすることで外部評価スコアを算出する。ここで、外部システムは、例えば、ユーザの疾患履歴や事故履歴等に基づいてユーザが有するリスク情報を提供する保険システムであってもよいし、ユーザの決済履歴等に基づいてユーザによる滞納のリスク情報を提供するクレジットカードシステム等であってもよい。なお、外部システムおよび外部システムから提供される情報はこれらに限定されない。また、外部評価スコアの算出方法は特に限定されない。例えば、外部評価スコアは、外部システムから提供される情報が所定の演算式に入力されることで算出されてもよい。
【０１６３】
ステップＳ２３２８では、解析部１２０は、デバイス状態スコアの合計値、信頼スコアの合計値、および、外部評価スコアに基づいてユーザ物品使用スコアを算出する。より具体的には、解析部１２０は、これらのスコアに対して重み係数による重み付けを施した値を合算する等してユーザ物品使用スコアを算出する。
【０１６４】
上記のように、ユーザ物品使用スコアは、デバイス状態スコアだけでなく、その信頼度を表す信頼スコアも考慮された上で算出される。これによって、デバイス状態スコアの精度が低い場合にも、解析部１２０は、精度の高いユーザ物品使用スコアを算出することができる。また、上記のように、ユーザ物品使用スコアは、外部システムから提供される情報に基づく外部評価スコアも考慮された上で算出される。これによって、解析部１２０は、本システム内の情報のみに基づいてユーザ物品使用スコアを算出する場合に比べて、当該スコアの精度を向上させることができる。
【０１６５】
なお、上記の動作は、あくまで一例であり適宜変更され得る。例えば、解析部１２０は、デバイス状態スコアの合計値や、信頼スコアの合計値ではなく、これらの平均値等を演算に用いることでユーザ物品使用スコアを算出してもよい。
【０１６６】
また、ユーザ物品使用スコアは、デバイス１００のカテゴリ毎に算出されてもよい。デバイス１００のカテゴリの内容は上記のとおりである。これによって、ユーザがデバイス１００を適切に（または、丁寧に）使用できるか否かがデバイス１００のカテゴリによって変わる場合であっても、デバイス１００は、より適切なユーザ物品使用スコアを算出することができる。例えば、デバイス１００は、あるユーザが「カメラ」については丁寧に扱うが「文房具」については粗悪に扱う場合や、「公共物」については丁寧に扱うが「私物」については粗悪に扱う場合等においても、より適切なユーザ物品使用スコアを算出することができる。
【０１６７】
ここで、デバイス１００の貸出価格（または販売価格）は、デバイス状態スコアだけでなくユーザ物品使用スコアにも基づいて設定されてもよい。例えば、デバイス１００の貸出価格等は、式１０のように、通常貸出価格をユーザ物品使用スコアで除算して得られる価格であってもよい（なお、ユーザ物品使用スコアが０．０〜１．０で表される場合を想定している）。ここで、通常貸出価格とは、例えば、優良ユーザに対する貸出価格であり得、かつ、これに限定されない。これによって、ユーザ物品使用スコアの高い（例えば、デバイス１００を丁寧に扱う）ユーザほど、貸出価格（または販売価格）が低く設定される。
【０１６８】
【数１０】
2018230165.tif 000012
【０１６９】
また、デバイス１００の貸出価格等は、式１１のように、ランク係数および通常貸出価格を乗算して得られる値をユーザ物品使用スコアで除算して得られる価格であってもよい。これによって、デバイス１００の状態も考慮された価格が設定される。
【０１７０】
【数１１】
2018230165.tif 000013
【０１７１】
なお、貸出価格（または販売価格）の設定方法は上記に限定されない。また、上記の方法が応用されることで、デバイス１００の買取価格が設定されてもよい。また、ユーザ物品使用スコアに基づいてユーザ毎に貸し出すデバイス１００のランクが変更されてもよい。
【０１７２】
ここで、上記のとおり、ユーザ物品使用スコアを用いることによって、ユーザ毎にデバイス１００の貸出価格等を変更することや、貸し出すデバイス１００のランクを変更することができるが、例えば、優良なユーザが低価格でデバイス１００（または、高ランクなデバイス１００）を借用して、劣悪なユーザに使用させる場合が生じ得る。
【０１７３】
このとき、当該デバイス１００は、上記で説明した方法で使用者を認証し、借用者と使用者が異なることを検知した場合、所定の動作を行うことができる。例えば、デバイス１００は、使用不可となるようにロックをかけたり、使用者に対して警告を行ったり、貸与者に対して通知を行ったり、使用者に応じた貸出料金を再設定したりすること等ができる。なお、借用者と使用者が異なることを検知した場合のデバイス１００の動作は、これらに限定されない。
【０１７４】
＜５．様々なＵＩ＞
上記では、デバイス１００の動作について説明した。続いて、図２５〜図３９を参照して、デバイス１００に関する様々なＵＩの例について説明する。
【０１７５】
本開示においては、ユーザは、任意の情報処理装置を用いてデバイス１００をより適切に管理することができる。デバイス１００の管理に用いられる情報処理装置は特に限定されない。例えば、当該情報処理装置は、デバイス１００と通信可能なスマートフォン、ＰＣ（Ｐｅｒｓｏｎａｌ  Ｃｏｍｐｕｔｅｒ）、携帯型ゲーム機、携帯型音声再生機もしくはカメラ等の任意の装置でもよいし、デバイス１００自体（またはデバイス１００が内蔵された装置）でもよい。以降では、一例として、デバイス１００の管理に用いられる情報処理装置が、スマートフォンであるデバイス１００自体である場合について説明する。
【０１７６】
デバイス１００は、任意の統計情報をディスプレイに表示することができる。例えば、デバイス１００は、図２５に示すように、ディスプレイの縦方向に各デバイス１００の使用期間を、横方向に各デバイス１００の使用頻度を表し、各デバイス１００のアイコン１１を配置することで、それぞれの使用期間と使用頻度を表示することができる。なお、図２５はあくまで一例であり、適宜変更され得る。例えば、ディスプレイの縦方向と横方向に表される統計情報が変更されてもよいし、各デバイス１００のアイコン１１の内容が変更されてもよい。
【０１７７】
また、デバイス１００は、図２６に示すように、デバイス１００の任意の統計情報（例えば、使用頻度、使用期間等）を曜日毎に表示することもできる。ユーザは、曜日タブ１２を選択することによって、統計情報を確認したい曜日を選択することができる（２６Ａは月曜日、２６Ｂは土曜日が選択されている）。
【０１７８】
また、デバイス１００は、図２７に示すように、デバイス１００の任意の統計情報（例えば、使用頻度、使用期間等）を時間（時刻）毎に表示することもできる。ユーザは、時間タブ１３を選択することによって、統計情報を確認したい時間を選択することができる（２７Ａは１１：００から１２：００に至るまでの時間、２７Ｂは２１：００から２２：００に至るまでの時間が選択されている）。なお、図２７においては、デバイス１００は、デバイス１００毎に使用頻度を棒グラフで表示している。このように、デバイス１００は、任意のグラフ、表または図等を用いて統計情報を表示してもよい。
【０１７９】
また、デバイス１００は、図２８に示すように、デバイス１００の任意の統計情報（例えば、使用頻度、使用期間等）をユーザ毎に表示することもできる。ユーザは、ユーザタブ１４を選択することによって、統計情報を確認したいユーザを選択することができる（２８Ａは男性ユーザ、２８Ｂは女性ユーザが選択されている）。これによって、例えば、親が子どものデバイス１００を管理すること等もできる。
【０１８０】
また、デバイス１００は、図２９に示すように、各デバイス１００の携帯状態を日毎に表示することができる。ユーザは、２９Ａに示すように、所定の一日における各デバイス１００の携帯状態を時系列的に確認することができる。なお、デバイス１００は、２９Ａに示すように、各デバイス１００の携帯状態をテクスチャの切り替え等で表すことができる（例えば、メガネについて、１５ａは「非携帯状態」、１５ｂは「携帯状態かつ非装着状態」、１５ｃは「装着状態」を表している）。また、ユーザは、２９Ｂに示すように、所定の一日における各デバイス１００の携帯状態のサマリーを確認することができる。
【０１８１】
また、デバイス１００は、図３０に示すように、各デバイス１００の携帯履歴情報を表示することができる。表示される携帯履歴情報の内容は任意であるが、例えば、図３０に示すように、使用開始日、総携帯時間（総使用時間）、携帯頻度（使用頻度）、携帯の傾向（一緒に携帯される他のデバイス１００に関する情報も含む）が表示され得る。
【０１８２】
また、デバイス１００は、図３１に示すように、イベント毎にユーザが携帯（または装着）すべきデバイス１００（デバイス１００以外の物品が含まれてもよい）を推薦してもよい。デバイス１００は、ユーザによって入力された、同行者、イベント内容、宿泊期間等の各種条件に基づいて、各デバイス１００のカテゴリや携帯履歴情報等に基づいてユーザが携帯（または装着）すべきデバイス１００を推薦することができる。
【０１８３】
また、デバイス１００は、図３２に示すように、カテゴリ毎に携帯（または装着）すべきデバイス１００を推薦してもよい。より具体的には、デバイス１００は、行動履歴等に基づいてユーザの行動予測を行うことで携帯デバイスリストを生成する。そして、図３２に示すように、デバイス１００は、「スーツ」、「シャツ」、「ネクタイ」、「メガネ」および「時計」等のカテゴリに区別して当該リストを表示する。このとき、デバイス１００は、各カテゴリにおいて推薦するデバイス１００に所定のマーク１６を付加する。ここで、推薦するデバイス１００の決定方法は特に限定されない。例えば、デバイス１００は、ユーザの嗜好もしくはユーザの行動履歴に基づいて推薦するデバイス１００を決定してもよいし、色彩や模様について一般的により良いとされる組み合わせに基づいて推薦するデバイス１００を決定してもよい。また、デバイス１００は、ユーザが各カテゴリのデバイス１００を携帯（または装着）していくに連れて、推薦するデバイス１００を動的に変更する。これらの動作によって、ユーザは、組み合わせに悩むことなくデバイス１００を携帯（または装着）することができ、かつ、忘れ物も無くなる。なお、図３２に示すように、ユーザが携帯（または装着）したデバイス１００のカテゴリにチェックマーク１７が表示されてもよい。図３２のＵＩは適宜変更され得る。また、図３２のリストは、行動予測に基づいて生成されるのではなく、ユーザ入力に基づいて生成されてもよい。
【０１８４】
また、デバイス１００は、図３３に示すように、携帯（または装着）すべきデバイス１００の一覧（または忘れ物の一覧）を、優先順位と共に表示してもよい。より具体的には、デバイス１００は、行動履歴等に基づいてユーザの行動予測を行うことで携帯デバイスリストを生成する。そして、デバイス１００は、携帯デバイスリストからユーザが携帯済みのデバイス１００を除去することで、携帯すべきデバイス１００の一覧（または忘れ物の一覧）を出力する。このとき、デバイス１００は、各デバイス１００の優先順位を算出する。当該優先順位の算出方法は特に限定されない。例えば、行動履歴等に基づいて、ユーザによって携帯される確率がより高いデバイス１００の優先順位がより高く設定されてもよい。また、行動履歴等に基づいて、ユーザによって携帯されるタイミングがより早いデバイス１００の優先順位がより高く設定されてもよい。また、図３３の例では、ユーザに携帯されたデバイス１００は、一覧から随時削除される（非表示となる）ことを想定しているが、これに限定されない。また、各デバイス１００の優先順位の変化に応じて、一覧の内容またはその順番が動的に変更されてもよい。図３３のＵＩは適宜変更され得る。
【０１８５】
また、上記のとおり、デバイス１００は、センシングデータを用いてユーザ認証を行い、その認証結果に基づいて鍵の開錠等を行うことができる。そこで、デバイス１００は、鍵の開錠機能と、忘れ物の通知機能を組み合せてユーザに提供することができる。より具体的には、デバイス１００は、ユーザ認証に成功し、かつ、忘れ物が無いことを確認できた場合に鍵を開錠することができる。その際、デバイス１００は、図３４に示すようなＵＩをユーザに提供してもよい。より具体的には、鍵の開錠に必要なデバイス１００がアイコンとして示されてもよい。なお、図３４の例では、ユーザがデバイス１００を携帯したタイミングで、当該デバイス１００のアイコンが、ハイライトされていない状態（３４Ａのアイコン１８ｂの状態）からハイライトされた状態（３４Ａのアイコン１８ａの状態）へ遷移する。そして、３４Ｂに示すように、全てのデバイス１００のアイコンがハイライトされた状態になった場合（換言すると、ユーザが全てのデバイス１００を携帯した場合）に、鍵が開錠される（なお、ユーザ認証は成功しているとする）。図３４のＵＩは適宜変更され得る。
【０１８６】
また、デバイス１００は、センシングデータを用いたユーザ認証の状況を示すＵＩをユーザへ提供してもよい。より具体的には、上記のとおり、デバイス１００は、ユーザによって携帯されるデバイス１００の組み合わせ、携帯される順番または携帯方法等に基づいてユーザ認証を行うことができる。その際、図３５に示すように、デバイス１００は、ユーザ認証の状況を示すグラフを表示してもよい。図３５の例では、携帯人物スコア（または携帯人物スコアに対応する値）の時間変化を示す折線グラフと、ユーザ認証が成功する閾値が表示されている。図３５の例では、ユーザが鞄、時計に続き鍵を携帯したタイミングで携帯人物スコアが閾値を超えることでユーザ認証が成功している。このＵＩによって、ユーザはユーザ認証の状況をよく知ることができる。なお、ユーザ認証の状況を示すＵＩは、図３５の例に限定されない。
【０１８７】
例えば、図３６の３６Ａおよび３６Ｂに示すように、携帯人物スコア（または携帯人物スコアに対応する値）がテキスト形式で表示されてもよい。また、３６Ｃに示すように、デバイス１００は、携帯人物スコアを複数の要素（例えば、行動認識結果、携帯位置認識結果等）に分解し、その要素毎の値をテキスト形式１９またはプログレスバー２０で表示してもよい。
【０１８８】
また、上記のとおり、デバイス１００の販売価格または貸出価格は、デバイス状態スコア、信頼スコアまたはユーザ物品使用スコアに基づいて設定され得る。そこで、続いて、デバイス１００の販売価格等を表示するＵＩの具体例について説明する。例えば、ユーザが所定のＷｅｂサイトにてデバイス１００を購入する場合、図３７に示すような画面が表示されてもよい。より具体的には、図３７に示すように、各デバイス１００の販売価格、新品（未使用品）であるか否か、デバイス状態スコア、信頼スコアおよびデバイス状態スコアの算出時に使用された振動等のイベントの影響を示すレーダーチャート２１を示すような画面が表示されてもよい。この例では、各デバイス１００の販売価格は、デバイス状態スコアと新品価格（この例では\2,000）との乗算によって得られた価格となっている。
【０１８９】
この画面が提供されることによって、ユーザは、所望のデバイス１００をより選択し易くなる。より具体的には、ユーザは、デバイス１００の状態と、その販売価格とのバランスを考慮して所望のデバイス１００を選択することができる。また、その際、ユーザは、デバイス状態スコアの信頼度を示す信頼スコアも考慮することができる。さらに、ユーザは、レーダーチャート２１に基づいて、各デバイス１００に対して発生したイベントが許容範囲であるか否かを判断することができる。例えば、耐水性の低いデバイス１００の購入時に、ユーザは、水没というイベントが発生していないデバイス１００を優先的に選択すること等ができる。図３７のＵＩは適宜変更され得る。
【０１９０】
また、ユーザが自らのユーザ物品使用スコア等を確認できるＵＩが提供されてもよい。例えば、図３８に示すように、ユーザの氏名、ユーザ物品使用スコア、当該ユーザ物品使用スコアの算出時に使用された各種スコア（デバイス状態スコア、信頼スコアおよび外部評価スコア）、および、これらのスコアを示すレーダーチャート２２が表示されてもよい。なお、図３８におけるデバイス状態スコアおよび信頼スコアは、図２４のステップＳ２３００およびステップＳ２３０４にて算出されたそれぞれの合計値が平均化された値（合計値がデバイス数で除算されて得られた値）であるが、これに限定されない。この画面が提供されることによって、ユーザは、自らのユーザ物品使用スコアを随時確認することができる。また、ユーザは、ユーザ物品使用スコアの算出時に使用された各種スコアを確認することができるため、ユーザ物品使用スコアの根拠を認識することができる。また、当該ユーザに対してデバイス１００を貸与するか否かを検討している貸与者が当該画面を使用できてもよい。これによって、貸与者は、ユーザ物品使用スコアおよびその根拠に基づいて貸与の可否を判断することができる。図３８のＵＩは適宜変更され得る。
【０１９１】
ここで、上記のとおり、ユーザ物品使用スコアは、ユーザが過去に使用した全てのデバイス１００に関するデバイス状態スコアに基づいて算出される。そこで、ユーザが過去に使用した全てのデバイス１００に関するデバイス状態スコア等を確認できるＵＩが提供されてもよい。例えば、図３９に示すように、ユーザの氏名、デバイス状態スコア、当該デバイス状態スコアの算出時に使用された各種イベントの影響を示す値、これらの値を示すレーダーチャート２３、および、デバイス１００毎の内訳（この例では、各デバイス１００に関するデバイス名称、デバイス状態スコア、信頼スコアおよびデバイス状態スコアの算出時に使用された各種イベントの影響を示すレーダーチャート２４が表示されている）が表示されてもよい。この画面が提供されることによって、ユーザは、自らのユーザ物品使用スコアの算出時に使用されたデバイス状態スコアの根拠を認識することができる。また、図３８と同様に、当該ユーザに対してデバイス１００を貸与するか否かを検討している貸与者が当該画面を使用できてもよい。例えば、貸与者は、頻繁にデバイス１００を水没させているユーザには、耐水性の低いデバイス１００を貸与しない等の判断を行うことができる。図３９のＵＩは適宜変更され得る。
【０１９２】
なお、上記で説明した表示内容はあくまで一例であり、適宜変更され得る。例えば、デバイス１００は、上記で説明してきた各種処理の結果ないし途中経過、各種処理で用いられた情報等を表示してもよい。
【０１９３】
＜６．むすび＞
以上で説明してきたように、本開示に係るデバイス１００は、ユーザによるデバイス１００の携帯状態に基づいてユーザ認証を行うことができる。例えば、デバイス１００は、ユーザが携帯しているデバイス１００の組み合わせ、携帯方法、デバイス１００が携帯されるタイミングや順番等に基づいてユーザ認証を行うことができる。
【０１９４】
また、デバイス１００は、ユーザによるデバイス１００の携帯状態に基づいてユーザの行動予測を行うことができ、行動予測の結果に基づいて、携帯されているデバイス１００の過不足（例えば、忘れ物、不要な物等）をユーザに対して通知すること等もできる。
【０１９５】
また、デバイス１００は、二人以上のユーザによるデバイス１００の共有状況に基づいて各ユーザの関連性を認識することができる。
【０１９６】
また、デバイス１００は、ユーザによるデバイス１００の携帯状態に基づいて自装置のカテゴリを認識することができ、同一もしくは所定の関係にあるカテゴリを有する他のデバイス１００から入手した携帯履歴情報を有効に活用することができる。
【０１９７】
また、デバイス１００は、ユーザによる過去の使用状況を記憶しておくことで当該デバイス１００の状態を適切に評価することができる。より具体的には、デバイス１００は、自装置の状態を評価可能な指標値であるデバイス状態スコアと、当該スコアの信頼度を示す指標値である信頼スコアを算出することができる。
【０１９８】
また、デバイス１００は、ユーザによる各デバイス１００の使用状況等に基づいて、ユーザがデバイス１００をいかに適切に使用できるかを示すユーザ物品使用スコアを算出することができる。デバイス状態スコア、信頼スコアまたはユーザ物品使用スコアは、デバイス１００の販売価格（または貸出価格）の設定等に使用され得る。
【０１９９】
また、シェアリングエコノミーサービス等において、デバイス１００は、借用者と実際の使用者が異なることを検出することができる。
【０２００】
また、デバイス１００は、デバイス１００またはユーザの有するスコア等に関する様々なＵＩをユーザに対して提供することができる。
【０２０１】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【０２０２】
例えば、上記で説明した各種処理における各デバイス１００の処理分担は任意である。例えば、上記の各種処理を行うデバイス１００に対して他のデバイス１００が加工を施していないセンシングデータを送信し、当該データを受信したデバイス１００によって各種処理が実現されてもよい。また、他のデバイス１００が各種処理における一部の処理を施したデータを、各種処理を行うデバイス１００へ送信してもよい。これによって、各デバイス１００は通信するデータ量を低減することができる。
【０２０３】
また、上記で説明した行動予測、人物関連性認識、または、カテゴリの認識等の各種処理においても、ユーザ認証の処理に用いられた情報（例えば、デバイス１００の組み合わせ、デバイス１００の携帯方法、デバイス１００が携帯されたタイミングもしくは順番等）が適宜応用されてもよい。例えば、デバイス１００の携帯方法等も用いて行動予測が行われてもよい。
【０２０４】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０２０５】
なお、以下のような構成も本開示の技術的範囲に属する。
（１）
二つ以上のデバイスから取得された、ユーザによる前記デバイスの携帯状態に関する情報に基づいて前記ユーザの認証を行う認証部を備える、
情報処理装置。
（２）
前記認証部は、前記デバイスの携帯状態の関係性に基づいて前記認証を行う、
前記（１）に記載の情報処理装置。
（３）
前記認証部は、前記デバイスの組み合わせに基づいて前記認証を行う、
前記（２）に記載の情報処理装置。
（４）
前記認証部は、前記デバイスの携帯方法に基づいて前記認証を行う、
前記（２）または（３）に記載の情報処理装置。
（５）
前記認証部は、前記デバイスが携帯されるタイミングもしくは順番に基づいて前記認証を行う、
前記（２）から（４）のいずれか１項に記載の情報処理装置。
（６）
前記認証部は、ある時間帯、ある時点またはある行動時における前記関係性に基づいて前記認証を行う、
前記（２）から（５）のいずれか１項に記載の情報処理装置。
（７）
前記認証部は、前記ユーザが携帯中の前記デバイスから取得された前記情報に基づいて前記認証を行う、
前記（１）から（６）のいずれか１項に記載の情報処理装置。
（８）
前記認証部は、前記認証が成功した後に、前記認証よりも負荷が低い処理によって前記ユーザの同一性を担保する、
前記（１）から（７）のいずれか１項に記載の情報処理装置。
（９）
前記情報に基づいて前記ユーザの行動予測を行う行動予測部をさらに備える、
前記（１）から（８）のいずれか１項に記載の情報処理装置。
（１０）
前記行動予測に基づいて携帯することが推薦されるデバイスを出力する推薦部をさらに備える、
前記（９）に記載の情報処理装置。
（１１）
前記情報に基づいて前記デバイスを共有する二人以上の前記ユーザの関連性を認識する関連性認識部を更に備える、
前記（１）から（１０）のいずれか１項に記載の情報処理装置。
（１２）
前記関連性認識部は、前記デバイスの重要度もしくは共有数に基づいて前記関連性を認識する、
前記（１１）に記載の情報処理装置。
（１３）
前記情報に基づいて前記デバイスを分類するカテゴリを認識するカテゴリ認識部をさらに備える、
前記（１）から（１２）のいずれか１項に記載の情報処理装置。
（１４）
前記カテゴリに基づいて他のデバイスとの連携を制御する制御部をさらに備える、
前記（１３）に記載の情報処理装置。
（１５）
前記制御部は、前記カテゴリに基づいて前記他のデバイスと前記情報を共有する、
前記（１４）に記載の情報処理装置。
（１６）
前記ユーザを前記デバイスの所有者として登録する登録部をさらに備える、
前記（１）から（１５）のいずれか１項に記載の情報処理装置。
（１７）
前記デバイスが前記所有者以外の者または借用者以外の者に携帯されているか、使用されている場合に、所定の処理を制御する制御部をさらに備える、
前記（１６）に記載の情報処理装置。
（１８）
前記デバイスに過去発生したイベントに基づいて前記デバイスの状態を示す値を算出するデバイス状態算出部をさらに備える、
前記（１）から（１７）のいずれか１項に記載の情報処理装置。
（１９）
前記デバイス状態算出部は、前記イベントの記録期間に基づいて前記デバイスの状態または品質を示す値の信頼度を算出する、
前記（１８）に記載の情報処理装置。
（２０）
前記ユーザによって過去に使用された前記デバイスの状態を示す値および前記信頼度に基づいて、前記ユーザによる前記デバイスの使用の適正を示す値を算出するユーザ適正算出部をさらに備える、
前記（１９）に記載の情報処理装置。
（２１）
前記ユーザ適正算出部は、外部システムから提供された前記ユーザの評価に関する情報にも基づいて前記適正を示す値を算出する、
前記（２０）に記載の情報処理装置。
（２２）
現在または過去における前記携帯状態に関する情報、前記ユーザによる携帯が推奨される前記デバイスに関する情報、前記認証の状況に関する情報、前記デバイスの状態または品質に関する情報、前記デバイスの状態または品質を示す値の信頼度に関する情報、前記ユーザによる前記デバイスの使用の適正を示す情報、または、外部システムから提供された前記ユーザの評価に関する情報の少なくとも１つの表示を制御する制御部をさらに備える、
前記（１）に記載の情報処理装置。
（２３）
二つ以上のデバイスから取得された、ユーザによる前記デバイスの携帯状態に関する情報に基づいて前記ユーザの認証を行うことを有する、
コンピュータにより実行される情報処理方法。
（２４）
二つ以上のデバイスから取得された、ユーザによる前記デバイスの携帯状態に関する情報に基づいて前記ユーザの認証を行うことを有する、
をコンピュータに実現させるためのプログラム。
【符号の説明】
【０２０６】
１００    デバイス
１１０    取得部
１２０    解析部
１３０    記憶部
１４０    通信部
１５０    制御部
【図１】
2018230165.tif 000014
【図２】
2018230165.tif 000015
【図３】
2018230165.tif 000016
【図４】
2018230165.tif 000017
【図５】
2018230165.tif 000018
【図６】
2018230165.tif 000019
【図７】
2018230165.tif 000020
【図８】
2018230165.tif 000021
【図９】
2018230165.tif 000022
【図１０】
2018230165.tif 000023
【図１１】
2018230165.tif 000024
【図１２】
2018230165.tif 000025
【図１３】
2018230165.tif 000026
【図１４】
2018230165.tif 000027
【図１５】
2018230165.tif 000028
【図１６】
2018230165.tif 000029
【図１７】
2018230165.tif 000030
【図１８】
2018230165.tif 000031
【図１９】
2018230165.tif 000032
【図２０】
2018230165.tif 000033
【図２１】
2018230165.tif 000034
【図２２】
2018230165.tif 000035
【図２３】
2018230165.tif 000036
【図２４】
2018230165.tif 000037
【図２５】
2018230165.tif 000038
【図２６】
2018230165.tif 000039
【図２７】
2018230165.tif 000040
【図２８】
2018230165.tif 000041
【図２９】
2018230165.tif 000042
【図３０】
2018230165.tif 000043
【図３１】
2018230165.tif 000044
【図３２】
2018230165.tif 000045
【図３３】
2018230165.tif 000046
【図３４】
2018230165.tif 000047
【図３５】
2018230165.tif 000048
【図３６】
2018230165.tif 000049
【図３７】
2018230165.tif 000050
【図３８】
2018230165.tif 000051
【図３９】
2018230165.tif 000052
【国際調査報告】
2018230165.tif 000053
2018230165.tif 000054
2018230165.tif 000055
2018230165.tif 000056
2018230165.tif 000057
2018230165.tif 000058
2018230165.tif 000059
2018230165.tif 000060